(57)【要約】【課題】伝送装置の設定作業におけるヒューマンエラーの回避を支援する。【解決手段】伝送装置１０１ａ〜１０１ｄは、各々にポート１０２ａ〜１０２ｄが実装されており互いに接続されている。各伝送装置１０１ａ〜１０１ｄは、ランプ１０３ａ〜１０３ｄ、１０４ａ〜１０４ｄを備える。これらのランプは、他の伝送装置から、対向ポートを探索するための情報であるサーチ情報、サーチ情報に対する返信である返信情報または返信情報の発信を報知する返信報知情報を受信したとき、受信を知らせるための出力を行う。また、各伝送装置１０１ａ〜１０１ｄは、他の伝送装置から、サーチ情報を受信した後、ポートが起動されると、サーチ情報の送信元の伝送装置に返信情報を送信するとともに、送信元の伝送装置以外の伝送装置に返信報知情報を送信する。【選択図】図１
2010232816.tif 000002
【特許請求の範囲】
【請求項１】
各々に１つ以上のポートが実装されており互いに接続された複数の伝送装置のうちの１つの伝送装置であって、
前記１つの伝送装置が、前記複数の伝送装置のうちの他のいずれかから、対向ポートを探索するための情報であるサーチ情報、前記サーチ情報に対する返信である返信情報または前記返信情報の発信を報知する返信報知情報を受信したとき、受信を知らせるための出力を行う出力手段と、
前記１つの伝送装置が、前記複数の伝送装置のうちの他のいずれかから前記サーチ情報を受信した後、前記１つ以上のポートのうち１つが起動されると、前記サーチ情報の送信元である前記伝送装置に前記返信情報を送信するとともに、前記複数の伝送装置のうち前記送信元の前記伝送装置以外の伝送装置に前記返信報知情報を送信する送信手段と、
を備えることを特徴とする伝送装置。
【請求項２】
前記送信手段は、前記返信情報または前記返信報知情報の前記受信を知らせるための前記出力を前記出力手段が行っていないときに、前記１つ以上のポートのいずれかが起動されると、前記複数の伝送装置のうち自身以外の他の伝送装置に、前記サーチ情報を送信することを特徴とする請求項１に記載の伝送装置。
【請求項３】
前記送信手段は、前記返信情報および前記返信報知情報の送信の後、前記１つの伝送装置において所定の処理が終了したら、前記複数の伝送装置のうち自身以外の他の伝送装置に前記所定の処理の終了を通知し、
前記出力手段は、前記複数の伝送装置のうちの他のいずれかから前記所定の処理の終了が通知されると、前記返信情報または前記返信報知情報の前記受信を知らせるための前記出力を停止する、
ことを特徴とする請求項１または２に記載の伝送装置。
【請求項４】
各々が、出力手段と通信手段を備え、１つ以上のポートが実装されており、互いに接続された複数の伝送装置のうちの、１つの伝送装置を制御するコンピュータに、
前記複数の伝送装置のうちの他のいずれかから、対向ポートを探索するための情報であるサーチ情報が、前記通信手段により受信されたか否かを検知する第１の検知ステップと、
前記サーチ情報の受信を検知したとき、前記サーチ情報を受信したことを出力するよう前記出力手段を制御する第１の出力制御ステップと、
前記複数の伝送装置のうちの他のいずれかから、前記サーチ情報に対する返信である返信情報が、前記通信手段により受信されたか否かを検知する第２の検知ステップと、
前記返信情報の受信を検知したとき、前記返信情報を受信したことを出力するよう前記出力手段を制御する第２の出力制御ステップと
前記複数の伝送装置のうちの他のいずれかから、前記返信情報の発信を報知する返信報知情報が、前記通信手段により受信されたか否かを検知する第３の検知ステップと、
前記返信報知情報の受信を検知したとき、前記返信報知情報を受信したことを出力するよう前記出力手段を制御する第３の出力制御ステップと、
前記第１の検知ステップにより前記サーチ情報の受信を検知した後、前記１つ以上のポートのうち１つが起動されると、前記サーチ情報の送信元である前記伝送装置に前記返信情報を送信するとともに、前記複数の伝送装置のうち前記送信元の前記伝送装置以外の伝送装置に前記返信報知情報を送信するよう前記通信手段を制御する第１の送信制御ステップと、
を実行させることを特徴とする制御プログラム。
【請求項５】
前記返信情報と前記返信報知情報のいずれも受信が検知されていないときに、前記１つの伝送装置に実装された前記１つ以上のポートのいずれかが起動されると、前記複数の伝送装置のうち自身以外の他の伝送装置に前記サーチ情報を送信するよう、前記通信手段を制御する第２の送信制御ステップを
さらに前記コンピュータに実行させることを特徴とする請求項４に記載の制御プログラム。
【請求項６】
前記第１の送信制御ステップの後、前記コンピュータが所定の処理を終了したら、前記複数の伝送装置のうち自身以外の他の伝送装置に前記所定の処理の終了を通知するよう、前記通信手段を制御する終了通知ステップと、
前記複数の伝送装置のうちの他のいずれかから前記所定の処理の終了が通知されると、前記返信報知情報を受信したことの出力を停止するよう前記出力手段を制御する第４の出力制御ステップと、
をさらに前記コンピュータに実行させることを特徴とする請求項４または５に記載の制御プログラム。
【発明の詳細な説明】
【技術分野】
【０００１】
本発明は、通信回線のパス設定に関する。
【背景技術】
【０００２】
近年の通信網の規模増大とともに、通信網の管理のために行われる作業の自動化も進みつつある。しかし、作業は完全に自動化されているわけではない。
例えば、ある種の伝送ネットワークシステムは、相対的に高速な伝送路により互いに接続された複数の伝送装置を含む。各伝送装置には、相対的に低速な伝送路により端末と接続されるポートが１つ以上実装されている。そして、２つの伝送装置上の２つのポート間のパスが定義されることで、端末間の専用線が提供される。
【０００３】
各伝送装置は、端末から受信した信号を、対向する伝送装置への伝送路に多重して送信する。また、各伝送装置は、対向する伝送装置から受信した多重化された信号を分離して、対向する伝送装置上の送信元のポートと対になって専用線の一端となっている自装置上のポートへ出力する。以上のような多重と分離を各伝送装置が行うことで、専用線による端末間通信が実現される。
【０００４】
以上のような伝送ネットワークシステムにおいて、専用線の開設や増設のためにポート間にパスを設定するために、例えば、オペレータが、対向する２つの伝送装置にそれぞれ設定パラメータを入力または転送することがある。パラメータの設定のためには、オペレータに、熟練や高度の専門的知識が必要なことがある。また、専用線の開設や増設にオペレータが関与する場合、ヒューマンエラーの発生は避けがたい。
【０００５】
したがって、作業の自動化を進めることで、専用線の開設や増設などが、オペレータの熟練度や知識の程度によらず、正確に素早く行われるようになると期待される。自動化に関しては、例えば、次のような技術が開示されている。
【０００６】
すなわち、伝送装置が、伝送路を介して対向する他の伝送装置が接続されたことを認識する。接続を認識した伝送装置では、保持しているパス設定情報を、対向する伝送装置に送信するとともに、パス設定情報に基づいて自装置内のパス設定を行う。また、対向する伝送装置では、受信したパス設定情報に基づいて自装置内のパス設定を行い、両伝送装置間の通信経路を確立する。以上により、ネットワークの構築およびパス設定の変更に要する時間と手間を省略でき、パス設定の変更によるデータの損失や誤りを防止することができる。
【０００７】
また、汎用スロットに対しユニットを実装した時、ユニット登録からクロスコネクト接続までを自動で行い、操作性を向上させ、誤登録や誤接続を防止させ、信頼性を向上することを目的とした、次のような自動クロスコネクト機能付き伝送装置も開示されている。
【０００８】
具体的には、汎用スロットに対してラインインターフェースユニットを実装したとき、管理ユニットが実装ユニットの制御部とバスで通信して自動認識し、ユニットを登録する。ユニット登録後、伝送路パスの保守信号上のパス固有の制御をラインインターフェースユニット上の保守信号モニタ部が読み取り、高速側パスと低速側パスでラベルが一致した場合両方のパスを接続する。以上の処理をすべてのパスに対して行うことで自動クロスコネクトが実行される。
【０００９】
また、通信パスの設定に関しては、多地点間通信への参加の可否を把握したい場合や、参加の可否に応じて通信相手となるメンバを選択したい場合の利便性を向上させるための次のような技術も開示されている。
【００１０】
多地点間通信システムは、多地点間通信への参加の可否を事前に問い合わせる問い合わせ手段と、問い合わせ手段の問い合わせに対して多地点間通信への参加の可否を応答するための応答手段とを備える。さらに、多地点間通信システムは、応答手段による多地点間通信への参加の可否を示す応答結果に応じてメンバの個人情報をグループ化して登録する登録手段を備える。この多地点間通信システムによれば、多地点間通信に関連する各メンバがグループ分けされるので、多地点間通信に関連するメンバの参加の可否が容易に把握可能となる。
【先行技術文献】
【特許文献】
【００１１】
【特許文献１】特許第４０７７４５３号公報
【特許文献２】特開平１０−３０３８９９号公報
【特許文献３】特開平８−８８６３２号公報
【発明の概要】
【発明が解決しようとする課題】
【００１２】
以上のように、自動化のための技術はいくつか開示されているが、通信回線の開設や増設は全自動化されているわけではなく、依然としてオペレータが少なくとも一部の作業に関与している。そして、例えば、各々にポートが実装された複数の伝送装置間での回線パスを正しく設定するために、オペレータにある種のノウハウや熟練が求められる場合も、依然として存在する。
【００１３】
そこで本発明は、伝送装置の設定作業におけるヒューマンエラーの回避を支援することを目的とする。
【課題を解決するための手段】
【００１４】
一態様によれば、各々に１つ以上のポートが実装されており互いに接続された複数の伝送装置のうちの１つであり、下記の出力手段と送信手段を備える伝送装置が提供される。
前記出力手段は、前記１つの伝送装置が、前記複数の伝送装置のうちの他のいずれかから、対向ポートを探索するための情報であるサーチ情報、前記サーチ情報に対する返信である返信情報または前記返信情報の発信を報知する返信報知情報を受信したとき、受信を知らせるための出力を行う。
【００１５】
前記送信手段は、前記１つの伝送装置が、前記複数の伝送装置のうちの他のいずれかから前記サーチ情報を受信した後、前記１つ以上のポートのうち１つが起動されると、前記サーチ情報の送信元である前記伝送装置に前記返信情報を送信するとともに、前記複数の伝送装置のうち前記送信元の前記伝送装置以外の伝送装置に前記返信報知情報を送信する。
【００１６】
また、他の態様によれば、各々が、出力手段と通信手段を備え、１つ以上のポートが実装されており、互いに接続された複数の伝送装置のうちの、１つの伝送装置を制御するコンピュータに、下記のステップを実行させる制御プログラムが提供される。
【００１７】
すなわち、前記複数の伝送装置のうちの他のいずれかから、対向ポートを探索するための情報であるサーチ情報が、前記通信手段により受信されたか否かを検知する第１の検知ステップと、前記サーチ情報の受信を検知したとき、前記サーチ情報を受信したことを出力するよう前記出力手段を制御する第１の出力制御ステップを、前記制御プログラムは前記コンピュータに実行させる。
【００１８】
さらに、前記複数の伝送装置のうちの他のいずれかから、前記サーチ情報に対する返信である返信情報が、前記通信手段により受信されたか否かを検知する第２の検知ステップと、前記返信情報の受信を検知したとき、前記返信情報を受信したことを出力するよう前記出力手段を制御する第２の出力制御ステップを、前記制御プログラムは前記コンピュータに実行させる。
【００１９】
また、前記複数の伝送装置のうちの他のいずれかから、前記返信情報の発信を報知する返信報知情報が、前記通信手段により受信されたか否かを検知する第３の検知ステップと、前記返信報知情報の受信を検知したとき、前記返信報知情報を受信したことを出力するよう前記出力手段を制御する第３の出力制御ステップを、前記制御プログラムは前記コンピュータに実行させる。
【００２０】
そして、前記第１の検知ステップにより前記サーチ情報の受信を検知した後、前記１つ以上のポートのうち１つが起動されると、前記サーチ情報の送信元である前記伝送装置に前記返信情報を送信するとともに、前記複数の伝送装置のうち前記送信元の前記伝送装置以外の伝送装置に前記返信報知情報を送信するよう前記通信手段を制御する送信制御ステップを、前記制御プログラムは前記コンピュータに実行させる。
【発明の効果】
【００２１】
上記のいずれの態様においても、ある伝送装置の出力手段による出力を観察しているオペレータは、他の伝送装置がサーチ情報、返信情報または返信報知情報を送信したことを認識することができる。すなわち、上記伝送装置および制御プログラムは、離れた場所にある他の伝送装置で行われている処理をオペレータに認識させることで、オペレータが現状を正しく把握することを助けることができる。よって、上記伝送装置および制御プログラムは、ヒューマンエラーの回避に資するものである。
【図面の簡単な説明】
【００２２】
【図１】第１実施形態における伝送ネットワークシステムの構成と動作を説明する第１の図である。
【図２】第１実施形態における伝送ネットワークシステムの構成と動作を説明する第２の図である。
【図３】第１実施形態における伝送ネットワークシステムの構成と動作を説明する第３の図である。
【図４】第１実施形態の伝送ネットワークシステムの動作タイミングチャートの一例である。
【図５】第２実施形態における伝送装置の構成図である。
【図６】第２実施形態におけるポート起動を契機とする一連の処理のフローチャートである。
【図７】第２実施形態におけるサーチ情報の受信を契機とする一連の処理のフローチャートである。
【図８】第２実施形態におけるサーチ済情報の受信を契機とする一連の処理のフローチャートである。
【図９】第２実施形態における種別情報および個別設定情報の受信を契機とする一連の処理のフローチャートである。
【図１０】第２実施形態におけるサーチ済情報の受信停止を契機とする一連の処理のフローチャートである。
【図１１】第２実施形態において最初にポートが起動されたときの動作を説明する図である。
【図１２】第２実施形態においてサーチ情報を受信したときの動作を説明する図である。
【図１３】第２実施形態においてサーチ情報を受信済みの対向予定の伝送装置でポートが起動されたときの動作を説明する図である。
【図１４】第２実施形態においてサーチ済情報を受信済みの無関係な伝送装置でもポートが起動されたときの動作を説明する図である。
【図１５】第２実施形態においてポート起動元の伝送装置でサーチ済情報を受信したときの動作を説明する図である。
【図１６】第２実施形態において対向予定の伝送装置で対向可能性を検証する動作を説明する図である。
【図１７】第２実施形態において対向予定の伝送装置で対向可能と判明したときの動作の続きを説明する図である。
【図１８】第２実施形態において対向予定の伝送装置で対向不可と判明したときの動作を説明する図である。
【図１９】第２実施形態においてポート起動元の伝送装置でサーチ済情報の受信が停止したときの動作を説明する図である。
【図２０】第２実施形態における通信パスの構築完了時のポート起動元の伝送装置の動作を説明する図である。
【図２１】第２実施形態における通信パスの構築完了時の対向側の伝送装置の動作を説明する図である。
【発明を実施するための形態】
【００２３】
以下、実施形態について、図面を参照しながら詳細に説明する。
図１〜図３は、第１実施形態における伝送ネットワークシステムの構成と動作を説明する図である。
【００２４】
図１に示す伝送ネットワークシステム１００は、伝送装置１０１ａ〜１０１ｄを備える。伝送装置１０１ａ〜１０１ｄは互いに伝送路で接続されている。２つの伝送装置間の伝送路は、例えば、６００Ｍｂｐｓなどの伝送速度の光ファイバ伝送路でもよい。以下、２つの伝送装置間の伝送路を「高速側伝送路」ともいう。図１には、高速側伝送路のうち伝送路１０７ａｂ、１０７ａｃおよび１０７ａｄのみを示してある。
【００２５】
また、伝送装置１０１ａ〜１０１ｄには各々１つ以上のポートが実装される。各ポートは、伝送装置に作りつけになっていてもよいし、伝送装置が備えるコネクタ等のインタフェイスに追加のパッケージボードが取り付けられることで、ポートが伝送装置上に実装されてもよい。図１〜図３には、具体例としてポート１０２ａ〜１０２ｄのみを図示してある。なお、図１〜図３では、起動中のポートを太線で囲ってある。
【００２６】
また、伝送装置１０１ａは、他の伝送装置１０１ｂ、１０１ｃまたは１０１ｄのいずれかから後述のサーチ情報Ｍ１を受信したとき、サーチ情報Ｍ１の受信を知らせるための出力を行う出力手段としてのランプ１０３ａを備える。ランプ１０３ａは、伝送装置１０１ａがサーチ情報Ｍ１を受信したとき点灯する。
【００２７】
伝送装置１０１ａはさらに、他の伝送装置１０１ｂ、１０１ｃまたは１０１ｄのいずれかから後述のサーチ済情報Ｍ２を受信したとき、サーチ済情報Ｍ２の受信を知らせるための出力を行う出力手段としてのランプ１０４ａを備える。ランプ１０４ａは、伝送装置１０１ａがサーチ済み情報Ｍ２を受信したとき点灯する。
【００２８】
他の伝送装置１０１ｂ、１０１ｃおよび１０１ｄも伝送装置１０１ａと同様に、２つずつランプを備えている。なお、図１〜図３において、ランプ１０３ａ〜１０３ｄおよび１０４ａ〜１０４ｄのそれぞれは、消灯しているとき白で表され、点灯しているとき黒で表されている。
【００２９】
伝送ネットワークシステム１００はさらに、パス割付ＤＢ（database）１０５を備える。パス割付ＤＢ１０５は、伝送装置間でポートの対により定義されるパスを表す、後述のパス情報Ｍ４を格納している。パス割付ＤＢ１０５は、伝送装置１０１ａ〜１０１ｄの各々と不図示の伝送路を介して接続されている。
【００３０】
また、伝送装置１０１ａのポート１０２ａには伝送路１０８ａを介して端末１０６ａが接続され、伝送装置１０１ｂのポート１０２ｂには伝送路１０８ｂを介して端末１０６ｂが接続されている。同様に、伝送装置１０１ｃのポート１０２ｃには伝送路１０８ｃを介して端末１０６ｃが接続され、伝送装置１０１ｄのポート１０２ｄには伝送路１０８ｄを介して端末１０６ｄが接続されている。なお、伝送装置と端末の間の伝送路１０８ａ〜１０８ｄは、例えば数Ｍｂｐｓの伝送路でもよく、伝送装置間の伝送路よりも低速であるので、以下では「低速側伝送路」ともいう。
【００３１】
例えば、ＩＳＰ（Internet Service Provider）は、伝送ネットワークシステム１００により加入者に専用線を提供することができる。例えば、伝送ネットワークシステム１００において、ポート１０２ａと１０２ｃの間にパスが設定されると、加入者側の端末１０６ａと１０６ｃの間に専用線が開設される。以下では、ポート１０２ａと１０２ｃの間のパスの設定を具体例として第１実施形態の動作を説明する。
【００３２】
まず、開設しようとする専用線を定義するパス（以下、「対象パス」という）の一端のポートが起動される。例えば、ポート１０２ａが起動される。すると、伝送装置１０１ａは、ポート１０２ａの対向ポートを探索するための情報であるサーチ情報Ｍ１を、他の伝送装置１０１ｂ、１０１ｃおよび１０１ｄに、伝送路１０７ａｂ、１０７ａｃおよび１０７ａｄをそれぞれ介して送信する。より正確には、伝送装置１０１ａは、ランプ１０３ａと１０４ａが点灯していないときにポート１０２ａが起動されると、サーチ情報Ｍ１を送信する。
【００３３】
サーチ情報Ｍ１を受信した伝送装置１０１ｂ、１０１ｃおよび１０１ｄは、サーチ情報Ｍ１の受信を知らせるため、ランプ１０３ｂ、１０３ｃおよび１０３ｄをそれぞれ点灯させる。なお、第１実施形態では、各ランプ１０３ａ〜１０３ｄは、サーチ情報Ｍ１の送信を知らせるためにも利用される。すなわち、この例では、伝送装置１０１ａが、サーチ情報Ｍ１の送信を知らせるためにランプ１０３ａを点灯させる。
【００３４】
伝送装置１０１ｂのオペレータはランプ１０３ｂが点灯すると、他の伝送装置のいずれかがサーチ情報Ｍ１を送信したこと、すなわち、いずれかのポート間でパスが設定されようとしていることを認識することができる。伝送装置１０１ｃと１０１ｄのオペレータにとっても、同様の認識が可能である。また、伝送装置１０１ａは、ポート１０２ａの起動によって確かにサーチ情報Ｍ１が送信されたことを、ランプ１０３ａの点灯から認識することができる。
【００３５】
ここで、対象パスの他端であるポート１０２ｃを備える伝送装置１０１ｃのオペレータは、作業の当事者であるから、当然、ポート１０２ａと１０２ｃが対向するよう予定されていることを知っているし、作業予定時刻も知っている。よって、伝送装置１０１ｃのオペレータは、作業予定時刻の前後にランプ１０３ｃが点灯するのを見ると、「ポート１０２ａが起動されて、パスの設定のための作業が開始された」と認識することができる。
【００３６】
他方、対象パスとは無関係の伝送装置１０１ｂと１０１ｄのオペレータは、ポート１０２ａと１０２ｃの間でパスが設定される予定について知っているかもしれないし、知らないかもしれない。なお、以下では、伝送ネットワークシステム１００の運用において、回線の開設・増設・減設・接続先変更などの各種の作業は、無用の混乱や間違いを避けるために、時間をずらして行われるものとする。
【００３７】
すると、伝送装置１０１ｂと１０１ｄのオペレータは、少なくともランプ１０３ｂと１０３ｄがそれぞれ点灯した時刻には、パスの設定のための自分の予定は入っていないことを知っている。よって、伝送装置１０１ｂと１０１ｄのオペレータは、ランプ１０３ｂと１０３ｄの点灯を見ることで、「自分が担当していない他の伝送装置同士の間でパスの設定が行われようとしている」と認識することができる。
【００３８】
図１は、以上のようにしてランプ１０３ａ〜１０３ｄが点灯した状態の伝送ネットワークシステム１００を表している。
続いて図２を参照して説明を続ける。伝送装置１０１ｃのオペレータは、ランプ１０３ｃの点灯を見て、伝送装置１０１ａ側で作業が開始されたことを認識し、対象パスの他端である伝送装置１０１ｃ側での作業を開始する。具体的には、伝送装置１０１ｃのオペレータはポート１０２ｃを起動させる。
【００３９】
他の伝送装置（具体的には伝送装置１０１ａ）からサーチ情報Ｍ１を受信した後にポート１０２ｃが起動されると、伝送装置１０１ｃは、サーチ済情報Ｍ２を自分以外の伝送装置１０１ａ、１０１ｂおよび１０１ｄに送信する。換言すれば、伝送装置１０１ｃは、ランプ１０３ｃが点灯しているときにポート１０２ｃが起動されると、サーチ済情報Ｍ２をブロードキャストする。なお、第１実施形態においてサーチ済情報Ｍ２は、サーチ情報Ｍ１に対する返信である返信情報と、返信情報の発信を報知する返信報知情報とを兼ねている。
【００４０】
すなわち、伝送装置１０１ｃは、サーチ情報Ｍ１の送信元である伝送装置１０１ａに対しては、伝送路１０７ａｃを介して返信情報としてのサーチ済情報Ｍ２を送信することで、サーチ情報Ｍ１に対して返信している。
【００４１】
また、伝送装置１０１ｃは、サーチ情報Ｍ１の送信元ではない伝送装置１０１ｂと１０１ｄに対しては、伝送路１０７ｂｃと１０７ｃｄをそれぞれ介して、返信報知情報としてのサーチ済情報Ｍ２を送信する。サーチ済情報Ｍ２の送信により、伝送路１０７ｃは、伝送装置１０１ｃ自身がサーチ情報Ｍ１に対して返信したことを、伝送装置１０１ｂと１０１ｄに報知している。
【００４２】
そして、伝送装置１０１ａ、１０１ｂおよび１０１ｄは、サーチ済情報Ｍ２を受信すると、ランプ１０４ａ、１０４ｂおよび１０４ｄをそれぞれ点灯させる。なお、第１実施形態では、各ランプ１０４ａ〜１０４ｄは、サーチ済情報Ｍ２の送信を知らせるためにも利用される。すなわち、この例では、伝送装置１０１ｃが、サーチ済情報Ｍ２の送信を知らせるためにランプ１０４ｃを点灯させる。
【００４３】
また、各伝送装置１０１ａ〜１０１ｄは、サーチ済情報Ｍ２の送信または受信を契機として、作業の進捗状況が変化したことを認識するので、今まで点灯していたランプ１０３ａ〜１０３ｄを、進捗状況の変化に合わせて消灯させる。
【００４４】
サーチ情報Ｍ１の送信元である伝送装置１０１ａのオペレータは、ランプ１０４ａの点灯を見て、対象パスの他端の側（すなわちポート１０２ａから見て対向ポート側）の伝送装置１０１ｃにおいていずれかのポートが起動されたことを認識することができる。つまり、伝送装置１０１ａのオペレータは、伝送装置１０１ｃのオペレータとの協働によるパスの構築のための作業が順調に進んでいる、と推測することができる。
【００４５】
また、サーチ情報Ｍ１の送信元ではない伝送装置１０１ｂのオペレータは、ランプ１０４ｂの点灯を見て、自分の担当ではない他の２つの伝送装置間でパスの設定が行われようとしていることを認識することができる。伝送装置１０１ｄのオペレータも同様の認識をすることができる。
【００４６】
伝送装置１０１ｂのオペレータが、ランプ１０３ｂと１０４ｂの点灯中には作業を控えることで、対象パスとは無関係な伝送装置１０１ｂのオペレータに起因する支障は避けられる。あるいは、サーチ済情報Ｍ２を受信した伝送装置１０１ｂは、ランプ１０４ｂの点灯中に、自身に実装されたポート１０２ｂが起動されたら、異常を知らせるための警告を発し、ポート１０２ｂの起動を無効化してもよい。伝送装置１０１ｂによって機械的に行われる起動の無効化は、伝送装置１０１ｂのオペレータに起因する支障をより確実に防ぐのに有効である。
【００４７】
伝送装置１０１ｄおよびそのオペレータに関しても同様である。すなわち、サーチ済情報Ｍ２の受信を契機としてのランプ１０４ｂと１０４ｄの点灯は、ヒューマンエラーの回避を支援するのに効果的である。
【００４８】
図２は、以上のようにしてポート１０２ｃが起動し、ランプ１０４ａ〜１０４ｄが点灯した状態の伝送ネットワークシステム１００を表している。
続いて図３を参照して説明を続ける。ポート１０２ｃの起動後、伝送装置１０１ｃにおいて、ポート１０２ｃが、サーチ情報Ｍ１により対向ポートが探索されているポート１０２ａと対向可能であるか否かが検証される。
【００４９】
検証の結果、対向不可であると判明し、対象パスの構築作業をやり直す必要が生じる場合もあるが、以下では、ポート１０２ａと１０２ｃが対向可能であると判明したものとして説明を続ける。例えば、サーチ済情報Ｍ２を受信した伝送装置１０１ａが、サーチ済情報Ｍ２の送信元である伝送装置１０１ｃにポート１０２ａの種別を通知してもよい。そして、伝送装置１０１ｃが、通知されたポート１０２ａの種別と、ポート１０２ｃに付随して記憶されているポート１０２ｃの種別とに基づいて、ポート１０２ａと１０２ｃの対向可能性を判断してもよい。
【００５０】
また、詳しくは第２実施形態とともに説明するが、各ポートに何らかのパラメータ設定が必要なこともある。その場合、例えば、ポート１０２ａの設定内容を伝送装置１０１ａが伝送装置１０１ｃに送信することで、ポート１０２ａに合わせて伝送装置１０１ｃがポート１０２ｃを自動的に設定することもできる。
【００５１】
適切にポート１０２ｃが設定されると、伝送装置１０１ｃはサーチ済情報Ｍ２の送信を停止し、伝送路１０９ｃを介してポート１０２ｃの定義情報Ｍ３をパス割付ＤＢ１０５に送信する。
【００５２】
例えば、ポート１０２ｃは、伝送装置１０１ｃが備えるコネクタなどのインタフェイスを介して伝送装置１０１ｃに着脱可能に取り付けられるパッケージボードとして実現されていてもよい。そして、伝送装置１０１ｃは、複数のパッケージボードを取り付けられるように、複数のコネクタを備えていてもよい。もちろん、ポート１０２ｃは、伝送装置１０１ｃに作りつけられていてもよい。
【００５３】
ポート１０２ｃの定義情報Ｍ３は、パスを定義するために使われる情報であって、パスの一端であるポート１０２ｃを伝送装置１０１ｃ内で特定して定義する情報である。例えば、定義情報Ｍ３は、「ポート１０２ｃを実現するパッケージボードがどのコネクタに取り付けられているのか」または「ポート１０２ｃは何番目の作りつけのポートか」という、ポート１０２ｃの物理的位置を示す情報を含む。また、定義情報Ｍ３は、ポート１０２ｃの種別を示す情報、ポート１０２ｃと端末１０６ｃの間の伝送速度を示す情報などを含んでもよい。
【００５４】
また、伝送装置１０１ａは、伝送装置１０１ｃからのサーチ済情報Ｍ２の送信停止を検知して、ランプ１０４ａを消灯させる。伝送装置１０１ａのオペレータは、ランプ１０４ａが消灯するのを見て、対象パスの他端で正常にポート１０２ｃが設定されたことを認識することができる。
【００５５】
さらに、伝送装置１０１ａは、伝送装置１０１ｃからのサーチ済情報Ｍ２の送信停止を検知すると、伝送路１０９ａを介してポート１０２ａの定義情報Ｍ３をパス割付ＤＢ１０５に送信する。この結果、パス割付ＤＢ１０５には、新たに構築された対象パスの両端であるポート１０２ａと１０２ｃの双方の定義情報Ｍ３が揃う。
【００５６】
そこで、パス割付ＤＢ１０５からは、新たに構築された対象パスを表すパス情報Ｍ４が、伝送路１０９ａ〜１０９ｄをそれぞれ介して伝送装置１０１ａ〜１０１ｄに送信される。
【００５７】
なお、対象パスとは無関係な伝送装置１０１ｂも、伝送装置１０１ｃからのサーチ済情報Ｍ２の送信停止を検知して、ランプ１０４ｂを消灯させる。よって、伝送装置１０１ｂのオペレータは、ランプ１０４ｂが消灯するのを見て、「いずれか他の２つの伝送装置間で行われていたパス構築の作業が完了した」と認識することができる。
【００５８】
例えば、ポート１０２ａと１０２ｃ間のパスの構築に続いてポート１０２ｂと１０２ｄ間のパスを構築することが予定されているかもしれないが、オペレータは、上記認識に基づくことで、他のパスの構築とは確実に時間帯をずらして作業を行うことが可能である。
【００５９】
同様に、伝送装置１０１ｄも、伝送装置１０１ｃからのサーチ済情報Ｍ２の送信停止を検知して、ランプ１０４ｄを消灯させるので、伝送装置１０１ｄのオペレータも、「いずれか他の２つの伝送装置間で行われていたパス構築の作業が完了した」と認識することができる。
【００６０】
以上から、第１実施形態によれば、離れた箇所にある伝送装置１０１ａ〜１０１ｄそれぞれのオペレータは、ランプの表示を見ることで、他の伝送装置でどのような処理が行われているかを認識することができ、現状を正しく把握することができる。したがって、第１実施形態はヒューマンエラーの回避に資する。
【００６１】
図４は、第１実施形態の伝送ネットワークシステムの動作タイミングチャートの一例である。図４には、図１〜図３を参照して説明した上記の例が表されている。
例えば、時刻ｔａ１に伝送装置１０１ａのポート１０２ａが起動され、伝送装置１０１ａがサーチ情報Ｍ１を伝送装置１０１ｂ〜１０１ｄに送信する。また、伝送装置１０１ａは時刻ｔａ１にランプ１０３ａを点灯させる。
【００６２】
すると、伝送装置１０１ｂ、１０１ｃおよび１０１ｄは、それぞれ時刻ｔｂ２、ｔｃ２およびｔｄ２にサーチ情報Ｍ１を受信し、ランプ１０３ｂ、１０３ｃおよび１０３ｄをそれぞれ点灯させる。
【００６３】
その後、伝送装置１０１ｃにおいて時刻ｔｃ３にポート１０２ｃが起動されると、伝送装置１０１ｃはサーチ済情報Ｍ２を送信する。また、伝送装置１０１ｃは時刻ｔｃ３にランプ１０３ｃを消灯させ、ランプ１０４ｃを点灯させる。
【００６４】
すると、伝送装置１０１ａは時刻ｔａ４にサーチ済情報Ｍ２を受信して、ランプ１０３ａを消灯させるとともにランプ１０４ａを点灯させる。また、伝送装置１０１ｂは時刻ｔｂ４にサーチ済情報Ｍ２を受信して、ランプ１０３ｂを消灯させるとともにランプ１０４ｂを点灯させる。同様に、伝送装置１０１ｄは時刻ｔｄ４にサーチ済情報Ｍ２を受信して、ランプ１０３ｄを消灯させるとともにランプ１０４ｄを点灯させる。
【００６５】
図４には、各伝送装置１０１ａ〜１０１ｄにおけるランプ１０３ａ〜１０３ｄのランプ点灯期間Ｌａ１〜Ｌｄ１が矩形で示してある。
時刻ｔｃ３の後、伝送装置１０１ｃでは、ポート１０２ｃがポート１０２ａと対向可能であるか否かの検証や、ポート１０２ｃの設定などの処理が適宜行われる。時刻ｔｃ５に検証と設定の処理が終わったとすると（すなわち時刻ｔｃ３から時刻ｔｃ５が検証・設定期間Ｋｃである）、伝送装置１０１ｃは時刻ｔｃ５に、ポート１０２ｃの定義情報Ｍ３をパス割付ＤＢ１０５に送信する。すると、パス割付ＤＢ１０５は時刻ｔｘ６にポート１０２ｃの定義情報Ｍ３を受信する。
【００６６】
伝送装置１０１ｃはさらに、時刻ｔｃ５に、今まで続けていたサーチ済情報Ｍ２の送信を停止することによって、伝送装置１０１ａ、１０１ｂおよび１０１ｄに、所定の処理（すなわちポート１０２ｃの設定）が終了したことを通知する。あるいは、伝送装置１０１ｃは、ポート１０２ｃの設定が終了したことを明示的に表す終了情報を、改めて時刻ｔｃ５に送信してもよい。
【００６７】
図４では、サーチ済情報Ｍ２の送信停止、またはサーチ済情報Ｍ２とは別の明示的な終了情報の送信による通知を、「Ｍ５」という参照符号で表している。
すると、伝送装置１０１ａ、１０１ｂおよび１０１ｄは、それぞれ時刻ｔａ７、ｔｂ７およびｔｄ７に、サーチ済情報Ｍ２の送信停止を検知するか、または終了情報を受信することで、通知Ｍ５を認識する。つまり、通知Ｍ５が具体的にどのようになされるにしろ、伝送装置１０１ａ、１０１ｂおよび１０１ｄは、作業の進捗状況が変化してサーチ済情報Ｍ２の受信を否定する状態に遷移したことを認識する。
【００６８】
その結果、伝送装置１０１ａ、１０１ｂおよび１０１ｄは、それぞれランプ１０４ａ、１０４ｂおよび１０４ｄを消灯させる（つまり、サーチ済情報Ｍ２の受信を知らせるための出力を停止させる）。また、伝送装置１０１ｃも、時刻ｔｃ５でランプ１０４ｃを消灯させている。
【００６９】
図４には、各伝送装置１０１ａ〜１０１ｄにおけるランプ１０４ａ〜１０４ｄのランプ点灯期間Ｌａ２〜Ｌｄ２が矩形で示してある。
そして、対象パスの一端となる伝送装置１０１ａは、時刻ｔａ７においてさらに、ポート１０２ａの定義情報Ｍ３をパス割付ＤＢ１０５に送信する。するとパス割付ＤＢ１０５は時刻ｔｘ８にポート１０２ａの定義情報Ｍ３を受信するので、パス割付ＤＢ１０５には対象パスの両端のポート１０２ａと１０２ｃ双方の定義情報Ｍ３が揃う。
【００７０】
そこで、パス割付ＤＢ１０５は時刻ｔｘ８において、取得したポート１０２ａと１０２ｃ双方の定義情報Ｍ３に基づいて、新たに構築された対象パスのパス情報Ｍ４を、伝送装置１０１ａ〜１０１ｄに送信する。伝送装置１０１ａ、１０１ｂ、１０１ｃおよび１０１ｄではそれぞれ時刻ｔａ９、ｔｂ９、ｔｃ９およびｔｄ９にパス情報Ｍ４を受信する。
以上により、伝送ネットワークシステム１００内に新たなパスが構築され、構築された新たなパスのパス情報Ｍ４を、伝送ネットワークシステム１００内の全伝送装置が認識することができる。また、ポート１０２ａと１０２ｃの間の新たなパスが構築される作業が行われている間、離れた場所にある伝送装置１０１ａ〜１０１ｄそれぞれのオペレータは、他の伝送装置で行われている作業の概要を、ランプの点灯または消灯に基づいて認識することが可能である。
【００７１】
続いて、図５〜図２１を参照して第２実施形態について説明する。なお、第１実施形態と同様または類似の構成要素については、同じ参照符号を用いる。第２実施形態においても、第１実施形態と同様に、伝送装置１０１ａ〜１０１ｄおよびパス割付ＤＢ１０５を含む伝送ネットワークシステム１００を例として説明する。
【００７２】
第２実施形態における伝送ネットワークシステム１００は、具体的には光伝送ネットワークである。例えば、伝送ネットワークシステム１００は、ＳＤＨ（Synchronous Digital Hierarchy）に準拠した伝送装置による光伝送ネットワークでもよい。
【００７３】
ＳＤＨは、ＩＴＵ−Ｔ（International Telecommunication Union-Telecommunication standardization sector）で標準化された、光ファイバを用いた高速デジタル通信方式の国際規格である。ＳＤＨは、ＩＳＰ間を結ぶインターネットのバックボーン回線などに用いられ、例えばヨーロッパで採用されており、米国ではＳＯＮＥＴ（Synchronous Optical NETwork）という名称で知られる。
【００７４】
以下では、第２実施形態について次の順序で説明する。まず、図５を参照して、伝送装置１０１ａ〜１０１ｄに共通の構成を説明する。次に、図６〜図１０のフローチャートを参照して、各伝送装置１０１ａ〜１０１ｄの一般的な動作を説明する。その後、第１実施形態と同様に、伝送装置１０１ａ上のポート１０２ａと伝送装置１０１ｃ上のポート１０２ｃとを結ぶパスが対象パスである場合を例として、図１１〜図２１を参照して具体的な動作シーケンスについて説明する。
【００７５】
図５は、第２実施形態における伝送装置の構成図である。なお、伝送装置１０１ａ〜１０１ｄのそれぞれは、第２実施形態では同じ構成要素を有しているので、以下では英字の添え字を略して「伝送装置１０１」のように参照することがある。
【００７６】
図５において、伝送装置１０１は伝送路１０９を介してパス割付制御部１１０と接続されている。パス割付制御部１１０は、第１実施形態と同様のパス割付ＤＢ１０５を制御する装置であり、例えば一般的なコンピュータでもよい。パス割付制御部１１０は、パス割付ＤＢ１０５および各伝送装置１０１ａ〜１０１ｄと接続されている。すなわち、第２実施形態の伝送装置１０１は、パス割付制御部１１０を介してパス割付ＤＢ１０５と接続されている。
【００７７】
また、図５において伝送装置１０１は、図５には示していない他の伝送装置と、伝送路１０７−１〜１０７−ｎの各々を介して接続されている。第２実施形態における伝送路１０７−１〜１０７−ｎは、例えば、１５０Ｍｂｐｓ、６００Ｍｂｐｓ、２．４Ｇｂｐｓなどの伝送速度の光ファイバによる高速側伝送路である。
【００７８】
例えば、図５の伝送装置１０１が、伝送装置１０１ａ〜１０１ｄを含む伝送ネットワークシステム１００内の伝送装置１０１ａである場合、具体的にはｎ＝３でもよい。そして、伝送装置１０１ａは、伝送路１０７−１を介して伝送装置１０１ｂと接続され、伝送路１０７−２を介して１０１ｃと接続され、伝送路１０７−３を介して伝送装置１０１ｄと接続されてもよい。
【００７９】
伝送装置１０１はさらに、低速側の伝送路１０８−１を介して不図示の端末と接続されている。例えば、図５の伝送装置１０１が図１と同様の伝送装置１０１ａである場合、伝送装置１０１ａは、図１の伝送路１０８ａに相当する図５の伝送路１０８−１を介して図１の端末１０６ａと接続されていてもよい。
【００８０】
以上のように各種装置と接続された伝送装置１０１は、図５に示すように、伝送装置１０１全体を制御する制御部２０１と、伝送路１０７−１〜１０７−ｎのそれぞれに対応する伝送路部２０２−１〜２０２−ｎを備える。伝送装置１０１はさらに、多重分離部２０３と、表示部２０４と、パス情報格納部２０５を備える。
【００８１】
また、伝送装置１０１には、最大でｍ個のポート１０２−１〜１０２−ｍを実装することができる。ポート１０２−１〜１０２−ｍは、例えば、伝送装置１０１に作り付けのポートでもよく、伝送装置１０１に着脱可能なパッケージボードにより実現されてもよい。つまり、伝送装置１０１は、追加ポートのパッケージボードを取り付けるためのコネクタを有していてもよい。一般には、ｍ＞ｎである。なお、以下では説明の簡単化のため、どのポート１０２−１〜１０２−ｍもパッケージボードにより実現されるものとして説明する。
【００８２】
制御部２０１は、例えば、ＣＰＵ（Central Processing Unit）と、ファームウェアプログラムを格納する不揮発性メモリと、ワーキングエリア用のＲＡＭ（Random Access Memory）を含むコンピュータにより実現されてもよい。不揮発性メモリとしては、ＲＯＭ（Read Only Memory）やフラッシュメモリなどを利用することができる。あるいは、制御部２０１の一部または全部は、専用のハードウェア回路により実現されてもよい。制御部２０１による伝送装置１０１の制御の詳細は、図６〜図１０のフローチャートとともに後述する。
【００８３】
伝送路部２０２−１〜２０２−ｎの各々は、伝送路１０７−１〜１０７−ｎと多重分離部２０３の間の通信インタフェイスである。つまり、ｊ番目（１≦ｊ≦ｎ）の伝送路部２０２−ｊは、多重分離部２０３からの出力を伝送路１０７−ｊに送出するとともに、伝送路１０７−ｊからの入力を多重分離部２０３に出力する。
【００８４】
多重分離部２０３は、１≦ｉ≦ｍとなる各ｉについて、ポート１０２−ｉから出力される信号を受け取る。そして、多重分離部２０３は、受け取った信号を、ポート１０２−ｉの対向ポートに応じて（つまり、パスを定義するパス情報Ｍ４に応じて）、伝送路部２０２−１〜２０２−ｎのいずれかへの出力信号に多重する。多重分離部２０３は、多重に際して、低速側伝送路の伝送媒体に合わせて、必要に応じて電気信号から光信号への変換を行うこともできる。
【００８５】
なお、パス情報Ｍ４は、パス割付制御部１１０を介してパス割付ＤＢ１０５から伝送装置１０１に送信され、パス情報格納部２０５に格納されている。
また、多重分離部２０３は、１≦ｊ≦ｎとなる各ｊについて、伝送路１０７−ｊから伝送路部２０２−ｊを介して受信される多重された信号を受け取る。そして、多重分離部２０３は、受け取った信号をパス情報Ｍ４に応じて分離し、ポート１０２−１〜１０２−ｍのいずれかへ出力する。多重分離部２０３は、分離に際して、低速側伝送路の伝送媒体に合わせて、必要に応じて光信号から電気信号への変換を行うこともできる。
【００８６】
例えば、ポート１０２−ｉは、既に確立された専用線のパスの一端であるとする。そして、ポート１０２−ｉの対向ポートが実装されている不図示の他の伝送装置と伝送装置１０１が、伝送路１０７−ｊを介して接続されているとする。
【００８７】
この場合、多重分離部２０３は、ポート１０２−ｉから出力される信号を、伝送路部２０２−ｊへの出力信号に多重する。また、この場合、多重分離部２０３は、伝送路部２０２−ｊから受け取った多重された信号から、ポート１０２−ｉの対向ポートからの信号を分離して、ポート１０２−ｉに出力する。
【００８８】
なお、図５では、対向する２つのポートにより定義されるパスにより提供される回線によりポイント・ツー・ポイントで接続された端末間で送受信されるデータの流れを、白い太矢印で示している。
【００８９】
表示部２０４は、例えば、第１実施形態で例示したようなランプでもよいし、文字や記号を表示することが可能なディスプレイでもよいし、両者の組み合わせでもよい。具体的には、例えば、ＬＥＤ（Light Emitting Diode）ランプやＬＣＤ（Liquid Crystal Display）パネルなどを、表示部２０４として用いることができる。文字、記号、ランプの色、ランプの点滅パターン、複数のランプのうち点灯しているものの組み合わせパターンなどにより、表示部２０４は様々な情報を表すことができる。
【００９０】
また、表示部２０４に替えて、または表示部２０４とともに、音声的な出力を行うスピーカを出力手段として利用することもできる。詳しくは後述するように、表示部２０４は、例えばサーチ情報Ｍ１の受信などを知らせるための表示を行う。
【００９１】
パス情報格納部２０５は、上記のようにパス情報Ｍ４を格納している。パス情報Ｍ４が更新されると、それに応じて、多重分離部２０３の振る舞いも変化する。
ポート１０２−１は、ポート制御部２１１−１、ポート情報格納部２１２−１、ポート表示部２１３−１および通信処理部２１４−１を備える。他のポート１０２−２〜１０２−ｍも同様である。
【００９２】
ポート制御部２１１−１は、ポート１０２−１全体を制御しており、例えばファームウェアプログラムにしたがって動作するＣＰＵと不揮発性メモリとＲＡＭによって実現されてもよいし、専用のハードウェア回路によって実現されてもよい。
【００９３】
ポート情報格納部２１２−１は、ポート１０２−１に関する情報であるポート情報を格納する。ポート情報は、具体的には、後述の種別情報Ｍ８と個別設定情報Ｍ９を含む。
ポート表示部２１３−１は、例えばＬＥＤランプなどにより実現され、ポート１０２−１の状態などを示すための表示を行う。例えば、ＬＥＤランプの色または点滅パターンにより、ポート表示部２１３−１は各種の状態を示し分けることができる。
【００９４】
通信処理部２１４−１は、伝送路１０８−１を介して接続された不図示の端末から信号を受け取って多重分離部２０３に出力するとともに、多重分離部２０３により分離された信号を受け取って伝送路１０８−１を介して上記端末へ出力する。また、通信処理部２１４−１が通信中であるとき、ポート表示部２１３−１は「通信中」を示す表示を行ってもよい。
【００９５】
なお、図５に示すように、伝送装置１０１の内部では、構成要素間で各種の情報がやりとりされる。どの情報がどのようなタイミングでやりとりされるかについては後述するが、具体的には、次のような情報のやりとりがある。
【００９６】
多重分離部２０３は、分離した信号の中に、第１実施形態と同様のサーチ情報Ｍ１もしくはサーチ済情報Ｍ２、またはポート情報の一例である種別情報Ｍ８もしくは個別設定情報Ｍ９を表す信号があると、これらの情報を制御部２０１へと出力する。
【００９７】
ポート１０２−１が起動すると、ポート制御部２１１−１は、ポート１０２−１が起動したことを示す起動情報Ｍ６を制御部２０１に出力する。また、ポート１０２−１は、ポート情報格納部２１２−１が格納する種別情報Ｍ８と個別設定情報Ｍ９を制御部２０１に出力することもある。逆に、多重分離部２０３から制御部２０１に出力された種別情報Ｍ８と個別設定情報Ｍ９が、さらに制御部２０１からポート１０２−１に出力され、ポート情報格納部２１２−１に格納されることもある。
【００９８】
制御部２０１は、表示部２０４の表示内容を制御するための表示情報Ｍ７を表示部２０４に出力する。制御部２０１はさらに、ポート１０２−１のポート制御部２１１−１から出力される起動情報Ｍ６などに基づいて、サーチ情報Ｍ１またはサーチ済情報Ｍ２を生成し、多重分離部２０３に出力する。また、制御部２０１は、ポート情報格納部２１２−１から読み出した種別情報Ｍ８と個別設定情報Ｍ９を多重分離部２０３に出力することもある。
【００９９】
また、上記のように伝送装置１０１の外部のパス割付制御部１１０からは伝送路１０９を介してパス情報Ｍ４が入力され、パス情報格納部２０５に格納される。パス情報Ｍ４は、多重分離部２０３の振る舞いを決定する制御情報として利用される。
【０１００】
また、制御部２０１は、種別情報Ｍ８と個別設定情報Ｍ９に基づいて伝送路１０９を介して定義情報Ｍ３をパス割付制御部１１０に送信することもある。
なお、図５では、伝送装置１０１とパス割付制御部１１０との間の通信インタフェイスは省略してある。また、伝送装置１０１とパス割付制御部１１０の間の伝送路１０９は、論理的な伝送路を示すものであり、具体的にどのような物理的伝送路により実現されるかは任意である。
【０１０１】
例えば、伝送装置１０１とパス割付制御部１１０は、伝送路１０９としてのケーブルで直接接続されていてもよい。あるいは、伝送路１０９は無線伝送路でもよい。また、伝送路１０９の少なくとも一部が、伝送路１０７−１〜１０７−ｎのいずれかにより実現されてもよい。
【０１０２】
より具体的には、例えば、図３のような伝送ネットワークシステム１００において、図３には不図示の図５のパス割付制御部１１０と、図３および図５に示すパス割付ＤＢ１０５は、１台のサーバにより実現されてもよい。そして、伝送装置１０１ａは、図３の伝送路１０９ａとしてのケーブルにより、直接サーバに接続されてもよい。他方で、伝送装置１０１ｂは、図１に示す伝送路１０７ａｂ（図５の伝送路１０７−１〜１０７−ｎのいずれかに相当）と上記ケーブルによって実現される図３の伝送路１０９ｂにより、他の伝送装置１０１ａを介して間接的にサーバに接続されていてもよい。
【０１０３】
続いて、図６〜図１０のフローチャートを参照して、図５の伝送装置１０１の動作について説明する。図６〜図１０では、ポート１０２の動作を左列に示し、制御部２０１の動作を中列に示し、表示部２０４の動作を右列に示してある。
【０１０４】
なお、以下ではポート１０２−１〜１０２−ｍのいずれか任意の１つを表すのに「１０２」という参照符号を用いる。同様に、ポート内部の構成要素も、「−１」などの添え字のない参照符号で参照する。
【０１０５】
図６は、第２実施形態におけるポート起動を契機とする一連の処理のフローチャートである。
まず、ステップＳ１０１でポート１０２が起動される。実施形態に応じて、ポート１０２は、例えば、ポート１０２を実現するパッケージボードがコネクタに接続されると自動的に起動するものでもよいし、不図示のスイッチがオペレータによりオンにされると起動するものでもよい。
【０１０６】
ポート１０２が起動すると、ポート制御部２１１は「ポート１０２が起動した」ということを表す起動情報Ｍ６を制御部２０１に出力する。
すると、ステップＳ２０１で起動情報Ｍ６をポート制御部２１１から受信したことを契機として、制御部２０１は、ステップＳ２０２以下の処理を開始する。
【０１０７】
具体的には、ステップＳ２０２で制御部２０１は、当該制御部２０１を備える伝送装置１０１が、他の伝送装置にサーチ情報Ｍ１を配信中であるか否かを判断する。なお、詳しくは図６のステップＳ２０５および図８のステップＳ２２５とともに後述するが、第２実施形態では、ある伝送装置１０１が一旦ステップＳ２０５でサーチ情報Ｍ１を配信し出すと、ステップＳ２２５までサーチ情報Ｍ１の配信を続ける。
【０１０８】
よって、伝送装置１０１がサーチ情報Ｍ１の配信を続行している最中であるとき、制御部２０１は、異常状態であることを知らせるための表示情報Ｍ７を生成して表示部２０４に出力する。また、このとき制御部２０１はさらに、起動を禁止する信号を、起動されたポート１０２のポート制御部２１１に出力し、ポート１０２の起動を無効化してもよい。
【０１０９】
すると、ステップＳ３０１で当該表示情報Ｍ７を制御部２０１から受信したことを契機として、表示部２０４は、ステップＳ３０２で、異常状態であることを知らせる表示を行い、処理を終了する。
【０１１０】
後述のステップＳ２０５から明らかなように、第１実施形態と同様に第２実施形態でも、最初にポートが起動された側の伝送装置１０１がサーチ情報Ｍ１を配信する。よって、例えば次のような不適切な起動操作が行われた場合に、ステップＳ２０２とＳ３０１とＳ３０２によれば、異常状態であることが正確に判断され、異常状態の表示がなされる。例えば、伝送装置１０１ａで第１のポート１０２−１が新たに起動され、第１のポート１０２−１とその対向ポートの間のパスが構築されないうちに、誤って伝送装置１０１ａの第２のポート１０２−２がさらに起動されると、異常状態であることが表示される。
【０１１１】
また、ステップＳ２０２において、伝送装置１０１がサーチ情報Ｍ１を配信中ではないと制御部２０１が判断すると、処理はステップＳ２０３に移行する。ステップＳ２０３で制御部２０１は、伝送装置１０１がサーチ済情報Ｍ２を受信中であるか否かを判断する。
【０１１２】
なお、詳しくは図６のステップＳ２０７および図９のステップＳ２３７とともに後述するが、第２実施形態では、ある伝送装置１０１が一旦ステップＳ２０７でサーチ済情報Ｍ２を配信し出すと、ステップＳ２３７まで配信を続ける。換言すれば、他の伝送装置からサーチ済情報Ｍ２を受信し出した後は、当該他の伝送装置でステップＳ２３７が実行されるまで、サーチ済情報Ｍ２の受信が続く。
【０１１３】
そこで、制御部２０１は、他の伝送装置からサーチ済情報Ｍ２を受信中であれば、異常状態であることを知らせるための表示情報Ｍ７を生成して表示部２０４に出力する。また、このとき制御部２０１はさらに、起動を禁止する信号を、起動されたポート１０２のポート制御部２１１に出力し、ポート１０２の起動を無効化してもよい。
【０１１４】
すると、上記で説明したのと同様にして、ステップＳ３０１で当該表示情報Ｍ７を制御部２０１から受信したことを契機として、表示部２０４は、ステップＳ３０２で、異常状態であることを知らせる表示を行い、処理を終了する。
【０１１５】
後述のステップＳ２０７から明らかなように、第１実施形態と同様に第２実施形態でも、伝送ネットワークシステム１００内の第１の伝送装置でポートが起動された後、次に第２の伝送装置でポートが起動されると、サーチ済情報Ｍ２が配信される。その後、パスの構築が完了しないうちにさらに、第３の伝送装置でもポートが起動されると、ステップＳ２０３で第３の伝送装置の制御部２０１は、「現在構築中のパスとは無関係なポートが起動された（すなわち、不適切な操作が行われた）」と判断する。
【０１１６】
その結果、ステップＳ３０２では、第３の伝送装置の表示部２０４が、異常状態を知らせる表示を行う。したがって、不適切なタイミングでポートの起動操作をした第３の伝送装置のオペレータは、自分の操作が不適切だったことを認識することができる。
【０１１７】
ステップＳ２０３において逆に、他の伝送装置からサーチ済情報Ｍ２が今まで受信されていないか、または、今まで受信していたサーチ済情報Ｍ２の受信が途絶えた場合は、制御部２０１は、「サーチ済情報Ｍ２の受信中ではない」と判断する。そして、処理はステップＳ２０４に移行する。
【０１１８】
ステップＳ２０４で制御部２０１は、伝送装置１０１がサーチ情報Ｍ１を受信中であるか否かを判断する。上記のように、ある伝送装置が一旦サーチ情報Ｍ１を後述のステップＳ２０５で配信し出すと、ステップＳ２２５まで配信を続けるので、他の伝送装置では、サーチ情報Ｍ１を受信し出した後はサーチ情報Ｍ１の受信が続くことになる。
【０１１９】
制御部２０１は、他の伝送装置からサーチ情報Ｍ１から今まで受信されていないか、または今まで受信していたサーチ情報Ｍ１の受信が途絶えた場合は、「サーチ情報Ｍ１の受信中ではない」と判断する。つまり、これから新たに定義しようとする対象パスの両端となる２つのポート１０２のうち、最初に起動されたポート１０２が実装されている伝送装置１０１内の制御部２０１は、ステップＳ２０４で「サーチ情報Ｍ１の受信中ではない」と判断することになる。そして、サーチ情報Ｍ１の受信中ではないとき、処理はステップＳ２０５に移行する。
【０１２０】
ステップＳ２０５で制御部２０１は、サーチ情報Ｍ１を配信するための制御を行う。すなわち、制御部２０１は、サーチ情報Ｍ１を多重分離部２０３に出力し、伝送路部２０２−１〜２０２−ｎそれぞれへの出力信号にそれぞれサーチ情報Ｍ１を多重するよう、多重分離部２０３を制御する。その結果、サーチ情報Ｍ１は、伝送路１０７−１〜１０７−ｎを通って他の伝送装置へ配信される。ステップＳ２０５の制御により、多重分離部２０３と伝送路部２０２−１〜２０２−ｎは、サーチ情報Ｍ１を送信する送信手段として機能する。
【０１２１】
なお、一旦ステップＳ２０５を実行すると、制御部２０１は、図８のステップＳ２２５を実行するまで、各伝送路部２０２−１〜２０２−ｎへの出力にサーチ情報Ｍ１を多重し続けるよう、多重分離部２０３を制御する。
【０１２２】
ステップＳ２０５に続いて、ステップＳ２０６で制御部２０１は、サーチ情報Ｍ１を送信中であることを示す「サーチ状態」であることを知らせるための表示情報Ｍ７を生成し、生成した表示情報Ｍ７を表示部２０４に通知する。
【０１２３】
すると、ステップＳ３０３で当該表示情報Ｍ７を制御部２０１から受信したことを契機として、表示部２０４は、ステップＳ３０４で、サーチ状態であることを知らせる表示を行い、処理を終了する。サーチ状態とは、換言すれば、これから構築しようとする対象パスの一端の伝送装置において、他端のポート（すなわち対向ポート）がこれから他端の伝送装置で起動されるのを待っている状態である。サーチ状態を知らせるための表示部２０４の表示を見たオペレータは、「対向ポートはまだ起動されていない」という、離れた場所にある他の伝送装置での操作の進捗状況を把握することができる。
【０１２４】
また、ステップＳ２０４において、伝送装置１０１がサーチ情報Ｍ１の受信中であると制御部２０１が判断すると、処理はステップＳ２０７に移行する。
ステップＳ２０７で制御部２０１は、サーチ済情報Ｍ２を配信するための制御を行う。すなわち、制御部２０１は、サーチ済情報Ｍ２を多重分離部２０３に出力し、伝送路部２０２−１〜２０２−ｎそれぞれへの出力信号にそれぞれサーチ済情報Ｍ２を多重するよう、多重分離部２０３を制御する。その結果、サーチ済情報Ｍ２は、伝送路１０７−１〜１０７−ｎを通って他の伝送装置へ配信される。ステップＳ２０７の制御により、多重分離部２０３と伝送路部２０２−１〜２０２−ｎは、サーチ済情報Ｍ２を送信する送信手段として機能する。
【０１２５】
なお、一旦ステップＳ２０７を実行すると、制御部２０１は、図９のステップＳ２３７を実行するまで、各伝送路部２０２−１〜２０２−ｎへの出力にサーチ済情報Ｍ２を多重し続けるよう、多重分離部２０３を制御する。
【０１２６】
ステップＳ２０７に続いて、ステップＳ２０８で制御部２０１は、サーチ済情報Ｍ２を送信中であることを示す「サーチ済状態」であることを知らせるための表示情報Ｍ７を生成し、生成した表示情報Ｍ７を表示部２０４に通知する。
【０１２７】
すると、ステップＳ３０５で当該表示情報Ｍ７を制御部２０１から受信したことを契機として、表示部２０４は、ステップＳ３０６で、サーチ済状態であることを知らせる表示を行い、処理を終了する。サーチ済状態とは、換言すれば、これから構築しようとする対象パスの一端にあたる第１のポートが起動された後、他端にあたる第２のポートがさらに起動されるところまで、処理が進んだという状態である。
【０１２８】
サーチ済状態を知らせるための表示部２０４の表示を見たオペレータは、自分が関わっている対象パスの構築のための処理が順調に進んでいることを認識することができる。換言すれば、オペレータは、ステップＳ３０２で説明したような異常状態が表示されず、期待どおりにサーチ済状態が表示されたことを見て、処理が正常に進んでいることを認識することができる。
【０１２９】
図７は、第２実施形態におけるサーチ情報の受信を契機とする一連の処理のフローチャートである。
他の伝送装置が図６のステップＳ２０５でサーチ情報Ｍ１を配信し出すと、ステップＳ２１１で伝送装置１０１は、サーチ情報Ｍ１を受信する。つまり、伝送装置１０１は、当該他の伝送装置と接続された伝送路１０７−ｉ（ｉは１からｎのいずれかである）を介して、伝送路部２０２−ｉにおいて、サーチ情報Ｍ１が多重された信号を受信する。伝送路部２０２−ｉは受信した信号を多重分離部２０３に出力する。多重分離部２０３は、伝送路部２０２−ｉから入力された信号を分離し、サーチ情報Ｍ１を取り出し、制御部２０１に出力する。
【０１３０】
なお、伝送路部２０２−ｉから多重分離部２０３に入力される信号には、サーチ情報Ｍ１だけでなく、定義済みの既存の専用回線で送られる信号も多重されている。多重分離部２０３は、入力された信号を適宜分離してポート１０２−１〜１０２−ｍのうち１つ以上のポートへ分配するとともに、入力された信号からサーチ情報Ｍ１を分離して制御部２０１へと出力する。
【０１３１】
こうしてステップＳ２１１において多重分離部２０３から制御部２０１へとサーチ情報Ｍ１が出力されるのを契機として、ステップＳ２１２で制御部２０１は、サーチ状態であることを知らせるための表示情報Ｍ７を生成する。そして、制御部２０１は、生成した表示情報Ｍ７を表示部２０４に通知する。
【０１３２】
すると、ステップＳ３１１で当該表示情報Ｍ７を制御部２０１から受信したことを契機として、表示部２０４は、ステップＳ３１２で、サーチ状態であることを知らせる表示を行い、処理を終了する。
【０１３３】
つまり、ステップＳ３１２によって、サーチ情報Ｍ１を送信した伝送装置以外の他の伝送装置のオペレータも、「現在伝送ネットワークシステム１００は、ある新たな対象パスに関してサーチ状態である」と認識することができる。したがって、図６のステップＳ３０４と図７のステップＳ３１２により、伝送ネットワークシステム１００内のどの伝送装置がサーチ情報Ｍ１を送信した場合でも、互いに離れた場所にいるすべての伝送装置のオペレータが、同じ認識に至ることが可能となる。
【０１３４】
図８は、第２実施形態におけるサーチ済情報の受信を契機とする一連の処理のフローチャートである。
他の伝送装置が図６のステップＳ２０７でサーチ済情報Ｍ２を配信し出すと、ステップＳ２２１で伝送装置１０１は、サーチ済情報Ｍ２を受信する。つまり、伝送装置１０１は、当該他の伝送装置と接続された伝送路１０７−ｉ（ｉは１からｎのいずれかである）を介して、伝送路部２０２−ｉにおいて、サーチ済情報Ｍ２が多重された信号を受信する。伝送路部２０２−ｉは受信した信号を多重分離部２０３に出力する。多重分離部２０３は、伝送路部２０２−ｉから入力された信号を分離し、サーチ済情報Ｍ２を取り出し、制御部２０１に出力する。
【０１３５】
なお、伝送路部２０２−ｉから多重分離部２０３に入力される信号には、サーチ済情報Ｍ２だけでなく、定義済みの既存の専用回線で送られる信号も多重されている。多重分離部２０３は、入力された信号を適宜分離してポート１０２−１〜１０２−ｍのうち１つ以上のポートへ分配するとともに、入力された信号からサーチ済情報Ｍ２を分離して制御部２０１へと出力する。
【０１３６】
こうしてステップＳ２２１において多重分離部２０３から制御部２０１へとサーチ済情報Ｍ２が出力されるのを契機として、ステップＳ２２２で制御部２０１は、制御部２０１自身を備える伝送装置１０１がサーチ情報Ｍ１の配信中であるか否かを判断する。当該伝送装置１０１がサーチ情報Ｍ１の配信中であれば処理はステップＳ２２３に移行する。
【０１３７】
ところで、当該伝送装置１０１がサーチ情報Ｍ１の配信中であるとき、図６から明らかなように、当該伝送装置１０１に実装されているいずれか１つのポート１０２がステップＳ１０１で起動されたことがサーチ情報Ｍ１の配信の契機である。
【０１３８】
そして、サーチ情報Ｍ１の配信の契機となった当該ポート１０２は、起動後、図８のステップＳ１２１において、ポート１０２自身の種別情報Ｍ８と個別設定情報Ｍ９を制御部２０１へ通知する。
【０１３９】
ステップＳ１２１は、ポート１０２内のポート制御部２１１が自発的に決定するタイミングで実行されてもよい。または、ステップＳ２２２で「当該伝送装置１０１がサーチ情報Ｍ１の配信中である」と判断した制御部２０１が、ポート１０２へ種別情報Ｍ８と個別設定情報Ｍ９の通知を要求し、ポート１０２は要求に応じてステップＳ１２１を実行してもよい。
【０１４０】
いずれにしろ、ステップＳ１２１で、起動されたポート１０２内のポート情報格納部２１２が格納する種別情報Ｍ８と個別設定情報Ｍ９が制御部２０１に通知される。
種別情報Ｍ８はポート１０２の種別を表す情報で、例えば、固有の種別番号などにより表されていてもよい。第１実施形態に関して図１〜図３に示したように、第２実施形態においても、各ポート１０２には、端末が接続される。換言すれば、各ポート１０２は各端末回線を収容すると言ってもよい。ポート１０２の種別には、端末回線の違いに応じて例えば以下のようなものがあるが、下記の例には限定されない。
【０１４１】
・アナログ音声回線
・Ｘ．２１、Ｖ．２４／２８、Ｖ．３５などのシリアルデータ回線
・ＰＲＩ（Primary Rate Interface）、ＢＲＩ（Basic Rate Interface）などの専用線
・接点信号
種別情報Ｍ８は、例えば、ポート１０２を実現するパッケージボードが工場で製造されるときに、ポート情報格納部２１２に記録されてもよい。
【０１４２】
また、個別設定情報Ｍ９は、ポート１０２の種別に応じたパラメータに関する情報である。ポート１０２の種別に応じて、例えば、以下のようなパラメータの値が選定されることがある。
【０１４３】
・ポート１０２に接続される端末との通信プロトコル
・ポート１０２と端末の間の低速側伝送路の回線速度（つまり伝送容量）
・端末間の通信手順（すなわち通信プロトコル）構築情報の転送条件
・回線障害時の警報情報の転送条件
個別設定情報Ｍ９は、例えば、ポート１０２を実現するパッケージボード（すなわち回路基板）のハードピンやスイッチにより指定されてもよいし、パッケージボード上に実装されたメモリ上に書き込まれてもよい。つまり、ポート情報格納部２１２は、ハードピン、スイッチ、メモリ、またはこれらの任意の組み合わせにより実現される。なお、少なくとも、対象パスを規定する２つのポートのうち先に起動されるポート１０２には、予め個別設定情報Ｍ９が設定されているものとする。
【０１４４】
ポート１０２がステップＳ１２１で種別情報Ｍ８と個別設定情報Ｍ９を制御部２０１に通知すると、制御部２０１は、ステップＳ２２３で種別情報Ｍ８と個別設定情報Ｍ９を受信することを契機として、ステップＳ２２４〜Ｓ２２６の処理を行う。
【０１４５】
ステップＳ２２４で制御部２０１は種別情報Ｍ８と個別設定情報Ｍ９を配信するための制御を行う。第２実施形態では、簡単のため、種別情報Ｍ８と個別設定情報Ｍ９は、無関係な伝送装置も含めて伝送ネットワークシステム１００内の他のすべての伝送装置に配信されるものとする。実施形態によっては、制御部２０１は、サーチ済情報Ｍ２の送信元の伝送装置にのみ種別情報Ｍ８と個別設定情報Ｍ９を送信するための制御を実行してもよい。
【０１４６】
すなわち、第２実施形態において制御部２０１は、多重分離部２０３に種別情報Ｍ８と個別設定情報Ｍ９を出力し、伝送路部２０２−１〜２０２−ｎそれぞれへの出力信号にそれぞれ種別情報Ｍ８と個別設定情報Ｍ９を多重するよう、多重分離部２０３を制御する。その結果、種別情報Ｍ８と個別設定情報Ｍ９は、伝送路１０７−１〜１０７−ｎを通って他の伝送装置へ配信される。
【０１４７】
また、制御部２０１はステップＳ２２５で、図６のステップＳ２０５で配信を開始したサーチ情報Ｍ１の配信を停止するよう、多重分離部２０３に指示する。すなわち、サーチ済情報Ｍ２の受信により、制御部２０１は、対象パスの構築のための処理状況が変化したことを認識し、変化に合わせてサーチ情報Ｍ１の配信を停止する。
【０１４８】
そして、制御部２０１はステップＳ２２６で、サーチ済状態であることを知らせるための表示情報Ｍ７を生成し、生成した表示情報Ｍ７を表示部２０４に通知する。
すると、ステップＳ３２１で当該表示情報Ｍ７を制御部２０１から受信したことを契機として、表示部２０４は、ステップＳ３２２で、サーチ済状態であることを知らせる表示を行い、処理を終了する。
【０１４９】
また、上記ステップＳ２２２で制御部２０１が「当該伝送装置１０１はサーチ情報Ｍ１の配信中ではない」と判断した場合も、制御部２０１は、サーチ済状態であることを知らせるための表示情報Ｍ７を生成し、生成した表示情報Ｍ７を表示部２０４に通知する。そして、上記と同様に、ステップＳ３２１で当該表示情報Ｍ７を制御部２０１から受信したことを契機として、表示部２０４は、ステップＳ３２２で、サーチ済状態であることを知らせる表示を行い、処理を終了する。
【０１５０】
つまり、ステップＳ３２２によって、サーチ済情報Ｍ２を送信した伝送装置以外の他の伝送装置のオペレータも、「現在伝送ネットワークシステム１００は、ある新たな対象パスに関してサーチ済状態である」と認識することができる。したがって、図６のステップＳ３０６と図８のステップＳ３２２により、伝送ネットワークシステム１００内のどの伝送装置がサーチ済情報Ｍ２を送信した場合でも、互いに離れた場所にいるすべての伝送装置のオペレータが、同じ認識に至ることが可能となる。
【０１５１】
図９は、第２実施形態における種別情報および個別設定情報の受信を契機とする一連の処理のフローチャートである。
対象パスに関わる２つのポートのうち、最初に起動されたポートが実装された伝送装置が図８のステップＳ２２４で種別情報Ｍ８と個別設定情報Ｍ９を配信すると、２つのポートのうち後から起動されたポートが実装された伝送装置１０１は、図９の処理を実行する。
【０１５２】
すなわち、後から起動されたポートが実装された伝送装置１０１は、ステップＳ２３１で、最初に起動されたポートが実装された他の伝送装置から、種別情報Ｍ８と個別設定情報Ｍ９を受信する。具体的には、伝送装置１０１は、当該他の伝送装置との間の伝送路１０７−ｉ（ｉは１からｎのいずれかである）を介して、伝送路部２０２−ｉにおいて、種別情報Ｍ８と個別設定情報Ｍ９が多重された信号を受信する。
【０１５３】
伝送路部２０２−ｉは受信した信号を多重分離部２０３に出力する。多重分離部２０３は、伝送路部２０２−ｉから入力された信号を分離し、種別情報Ｍ８と個別設定情報Ｍ９を取り出し、制御部２０１に出力する。
【０１５４】
こうしてステップＳ２３１で制御部２０１に多重分離部２０３から種別情報Ｍ８と個別設定情報Ｍ９が入力されると、処理はステップＳ２３２に移行する。
ステップＳ２３２で制御部２０１は、制御部２０１自身を備える伝送装置１０１がサーチ済情報Ｍ２の配信中であるか否かを判断する。
【０１５５】
当該伝送装置１０１がサーチ済情報Ｍ２の配信中でない場合は、当該伝送装置１０１は、現在構築しようとしている対象パスとは無関係である。よって、制御部２０１は、種別情報Ｍ８と個別設定情報Ｍ９の受信を無視して、図９の処理を終了する。
【０１５６】
他方、制御部２０１は、「サーチ済情報Ｍ２の配信中である」とステップＳ２３２で判断すると、ステップＳ２３３以下の処理を行う。
ところで、図９の処理を実行中の制御部２０１を含む伝送装置１０１がサーチ済情報Ｍ２の配信中のとき、サーチ済情報Ｍ２の配信の契機は、当該伝送装置１０１に実装されているいずれか１つのポート１０２が図６のステップＳ１０１で起動されたことである。
【０１５７】
そして、サーチ済情報Ｍ２の配信の契機となった当該ポート１０２は、起動後、ステップＳ１３１において、ポート１０２の種別情報Ｍ８を制御部２０１へ通知する。ステップＳ１３１は、ポート１０２内のポート制御部２１１が自発的に決定するタイミングで実行されてもよい。または、ステップＳ２３２で「当該伝送装置１０１はサーチ済情報Ｍ２の配信中である」と判断した制御部２０１が、ポート１０２へ種別情報Ｍ８の通知を要求し、ポート１０２は要求に応じてステップＳ１３１を実行してもよい。
【０１５８】
いずれにしろ、ステップＳ１３１で、起動されたポート１０２内のポート情報格納部２１２が格納する種別情報Ｍ８が制御部２０１に通知される。
すると、制御部２０１は、ステップＳ２３３で種別情報Ｍ８を同じ伝送装置１０１内のポート１０２から受信したことを契機として、ステップＳ２３４で、ステップＳ２３１とＳ２３３でそれぞれ得た種別情報Ｍ８同士を比較する。すなわち、制御部２０１は、サーチ情報Ｍ１の発信元の他の伝送装置内で最初に起動されたポートの種別情報Ｍ８と、制御部２０１自身と同じ伝送装置１０１内で対向ポートの候補として起動されたポート１０２の種別情報Ｍ８とを比較する。
【０１５９】
そして、ステップＳ２３５で制御部２０１は、ステップＳ２３４の比較の結果、２つのポートが対向可能か否かを判断する。ステップＳ２３４の比較の結果、２つのポートの種別情報Ｍ８が同じ種別または互換性のある種別を表していれば、制御部２０１は、ステップＳ２３５で「対向可能」と判断する。例えば、対向可能な種別情報Ｍ８の組み合わせは、制御部２０１を実現するためのファームウェアプログラムにプログラムされていてもよいし、制御部２０１を実現するコンピュータが備えるメモリに予め格納されていてもよい。
【０１６０】
制御部２０１は、ステップＳ２３５で「対向不可」と判断すると、異常状態であることを知らせるための表示情報Ｍ７を生成して表示部２０４に出力する。すると、ステップＳ３３１で当該表示情報Ｍ７を制御部２０１から受信したことを契機として、表示部２０４は、ステップＳ３３２で、異常状態であることを知らせる表示を行い、処理を終了する。
【０１６１】
ステップＳ３３２による表示を見たオペレータは、自分が起動操作を行ったポート１０２と、サーチ情報Ｍ１の送信元である他の伝送装置で他のオペレータにより最初に起動されたポートとが対向不可であることを認識することができる。つまり、ステップＳ３３２による表示を見たオペレータは、異常状態の発生を認識し、例えば上記他のオペレータと連絡を取り合って、対象パスの構築を最初からやり直すなどの適切な対策をとることができる。
【０１６２】
例えば、何らかの原因で２人のオペレータのうち一方または両方が、間違った種別のパッケージボードを伝送装置に取り付けて起動した場合などでは、第２実施形態によれば、ステップＳ３３２による表示から、オペレータが迅速に異常に気付くことができる。したがって、第２実施形態は、ヒューマンエラーが生じた場合でも、異常からの迅速な回復を支援する効果がある。
【０１６３】
また、上記ステップＳ２３５で制御部２０１が「対向可能」と判断した場合、処理はステップＳ２３６に移行する。ステップＳ２３６で制御部２０１は、ステップＳ２３１で受信した個別設定情報Ｍ９を、制御部２０１自身と同じ伝送装置１０１内の、サーチ済情報Ｍ２の配信の契機となったポート１０２に通知する。
【０１６４】
すなわち、図８のステップＳ１２１、Ｓ２２３およびＳ２２４、ならびに図９のステップＳ２３１およびＳ２３６により、構築中の対象パスの一端のポートから他端のポートへと、自動的に個別設定情報Ｍ９が送信される。したがって、第２実施形態によれば、対象パスの両端のポートにおいて２人のオペレータがそれぞれ同じ個別設定情報Ｍ９を手作業で設定する必要がないので、ヒューマンエラーが発生する余地が従来よりも少ない。
【０１６５】
そして、サーチ済情報Ｍ２の配信の契機となったポート１０２は、ステップＳ１３２で当該個別設定情報Ｍ９を制御部２０１から受信したことを契機として、ステップＳ１３３の処理を行う。すなわち、ポート１０２はステップＳ１３３において、制御部２０１から受信した個別設定情報Ｍ９を、自身のポート情報格納部２１２に格納することで、対象パスの他端にあるポートと同じようにポート１０２自身を設定し、処理を終了する。
【０１６６】
また、制御部２０１は、ステップＳ２３６の通知の後、ステップＳ２３７で、図６のステップＳ２０７で配信を開始したサーチ済情報Ｍ２の配信を停止するよう、多重分離部２０３に指示する。すなわち、後から起動したポート１０２もステップＳ２３６の通知により適切に設定され、対象パスの構築のための処理状況が変化したことに合わせて、制御部２０１は、サーチ済情報Ｍ２の配信を停止するための制御を行う。
【０１６７】
制御部２０１はステップＳ２３７でさらに、サーチ済状態が解除されたことを知らせるための表示情報Ｍ７を生成して表示部２０４に出力する。
すると、ステップＳ３３３で当該表示情報Ｍ７を制御部２０１から受信したことを契機として、表示部２０４は、ステップＳ３３４で、サーチ済状態を示している現在の表示を停止する。つまり、表示部２０４は、サーチ状態でもサーチ済状態でも異常状態でもない、通常の状態を知らせる表示を行う。そして処理は終了する。
【０１６８】
また、制御部２０１は、ステップＳ２３７に続いてステップＳ２３８で、定義情報Ｍ３をパス割付制御部１１０に通知して処理を終了する。定義情報Ｍ３は、例えば、ポート１０２の種別情報Ｍ８を含んでもよい。定義情報Ｍ３は、ポート１０２の伝送装置１０１内での物理的な実装位置（例えば、ｍ個のコネクタのうちどのコネクタにポート１０２が接続されているのかという情報）を含んでもよい。また、定義情報Ｍ３は、ステップＳ１３３で設定されたポート１０２の個別設定情報Ｍ９（またはその一部）を含んでもよい。
【０１６９】
図１０は、第２実施形態におけるサーチ済情報の受信停止を契機とする一連の処理のフローチャートである。
他の伝送装置が図９のステップＳ２３７でサーチ済情報Ｍ２の配信を停止すると、ステップＳ２４１で制御部２０１は、今まで受信し続けていたサーチ済情報Ｍ２の受信が途絶えたことを検知する。つまり、当該他の伝送装置と接続された伝送路１０７−ｉ（ｉは１からｎのいずれかである）を介して伝送路部２０２−ｉが受信する受信信号に、今までは多重されていたサーチ済情報Ｍ２が、もはや多重されなくなる。すると、多重分離部２０３から制御部２０１へのサーチ済情報Ｍ２の出力も停止する。したがって、制御部２０１はステップＳ２４１でサーチ済情報Ｍ２の受信停止を検知する。
【０１７０】
すると、制御部２０１はステップＳ２４２で、種別情報Ｍ８の配信中であるか否かを判断する。種別情報Ｍ８の配信中であるのは、図８のステップＳ２２４を実行した場合であり、すなわち、図１０を実行中の制御部２０１を含む伝送装置１０１内に、対象パスを規定する２つのポートのうち最初に起動されたポート１０２が実装されている場合である。換言すれば、種別情報Ｍ８の配信中であるのは、図１０を実行中の制御部２０１を含む伝送装置１０１内に、サーチ情報Ｍ１の配信の契機となったポート１０２が実装されている場合である。
【０１７１】
したがって、種別情報Ｍ８の配信中の場合は、制御部２０１はステップＳ２４３でパス割付制御部１１０に当該ポート１０２の定義情報Ｍ３を通知する。図９のステップＳ２３８とこのステップＳ２４３により、パス割付制御部１１０は、対象パスの両端のポートの定義情報Ｍ３をそれぞれ取得することができる。
【０１７２】
さらに制御部２０１は、ステップＳ２４４で、サーチ済状態が解除されたことを知らせるための表示情報Ｍ７を生成して表示部２０４に出力する。
すると、ステップＳ３４１で当該表示情報Ｍ７を制御部２０１から受信したことを契機として、表示部２０４は、ステップＳ３４２で、サーチ済状態を示している現在の表示を停止する。つまり、表示部２０４は、サーチ状態でもサーチ済状態でも異常状態でもない、通常の状態を知らせる表示を行う。そして処理は終了する。
【０１７３】
このように、図９のステップＳ３３４とこのステップＳ３４２により、伝送ネットワークシステム１００内のどの伝送装置のオペレータも、対象パスの構築が正常に終了したことを認識することができる。
【０１７４】
以上、図６〜図１０を参照して、伝送装置１０１の動作について説明した。なお、伝送装置１０１を制御するコンピュータがプログラムにしたがって動作することで制御部２０１を実現する場合、プログラムは、少なくとも下記のステップをコンピュータに実行させる。
【０１７５】
・互いに接続された複数の伝送装置のうちの他のいずれかから、対向ポートを探索するための情報であるサーチ情報Ｍ１が、通信手段としての多重分離部２０３と伝送路部２０２−１〜２０２−ｎにより受信されたか否かを検知するステップ。
【０１７６】
・サーチ情報Ｍ１の受信を検知したとき、サーチ情報Ｍ１を受信したことを出力するよう出力手段としての表示部２０４を制御するステップ。
・複数の伝送装置のうちの他のいずれかから、サーチ情報Ｍ１に対する返信である返信情報としてのサーチ済情報Ｍ２が、通信手段としての多重分離部２０３と伝送路部２０２−１〜２０２−ｎにより受信されたか否かを検知するステップ。
【０１７７】
・返信情報としてのサーチ済情報Ｍ２の受信を検知したとき、返信情報を受信したことを出力するよう出力手段としての表示部２０４を制御するステップ。
・複数の伝送装置のうちの他のいずれかから、返信情報の発信を報知する返信報知情報としてのサーチ済情報Ｍ２が、通信手段としての多重分離部２０３と伝送路部２０２−１〜２０２−ｎにより受信されたか否かを検知するステップ。
【０１７８】
・返信報知情報としてのサーチ済情報Ｍ２の受信を検知したとき、返信報知情報を受信したことを出力するよう出力手段としての表示部２０４を制御するステップ。
・サーチ情報Ｍ１の受信を検知した後、伝送装置１０１内の１つ以上のポートのうち１つが起動されると、サーチ済情報Ｍ２を送信するよう、通信手段としての多重分離部２０３と伝送路部２０２−１〜２０２−ｎを直接または間接に制御するステップ。ここで、サーチ済情報Ｍ２は、サーチ情報Ｍ１の送信元である伝送装置には返信情報として送信され、複数の伝送装置のうち送信元の伝送装置以外の伝送装置には返信報知情報として送信される。
【０１７９】
なお、サーチ情報Ｍ１の受信停止を契機とするフローチャートがないのは、図８のステップＳ２２１とＳ２２５から明らかなように、第１の伝送装置からのサーチ情報Ｍ１の受信が停止するのは第２の伝送装置からサーチ済情報Ｍ２の配信が開始されたときだからである。つまり、サーチ情報Ｍ１の受信停止が表す状態遷移（つまりサーチ状態からサーチ済状態への遷移）は、サーチ済情報Ｍ２の配信開始に続いて実行される図６のステップＳ３０６または図８のステップＳ３２２により、すべての伝送装置において適切に表示される。よって、サーチ情報Ｍ１の受信停止を契機として各伝送装置が別途何か処理を行う必要はない。
【０１８０】
続いて、図１１〜図２１を参照して、具体的な動作シーケンスの例を説明する。以下で説明する例は、第１実施形態と同様に、伝送装置１０１ａに実装され端末１０６ａと接続されるポート１０２ａと、伝送装置１０１ｃに実装され端末１０６ｃと接続されるポート１０２ｃの間に新たにパスを構築する場合である。
【０１８１】
図１１は、第２実施形態において最初にポートが起動されたときの動作を説明する図である。
図１１の伝送装置１０１ａは、図５に示した伝送装置１０１をさらに具体化した例であり、ｍａ個のポートを収容することが可能であり、他の伝送装置とはｎａ本の伝送路１０８−１〜１０８ｎａでそれぞれ接続されている。第１実施形態の図１と同様の伝送ネットワークシステム１００ではｎａ＝３である。
【０１８２】
以下では、対象パスの一端であるポート１０２ａが、具体的には、伝送装置１０１ａのｐ番目（１≦ｐ≦ｍａ）のポート１０２−ｐであるとする。また、伝送装置１０１ａと１０１ｃ間の伝送路１０７ａｃには、ｒ番目（１≦ｒ≦ｎａ）の伝送路部２０２−ｒが対応しているとする。
【０１８３】
伝送装置１０１ａにおいて、ポート１０２−ｐが起動すると、図６のステップＳ１０１でポート制御部２１１−ｐが起動情報Ｍ６を制御部２０１に出力する。なお、ポート１０２−ｐは、実施形態により、例えば伝送装置１０１ａのオペレータがパッケージボードをコネクタに接続することによって自動的に起動してもよいし、オペレータがさらにスイッチをオンにするなどの操作をすることによって起動してもよい。
【０１８４】
ここで、図１１に示した初期状態では、伝送ネットワークシステム１００内のどの伝送装置も、サーチ情報Ｍ１を配信していないし、サーチ済情報Ｍ２も配信していない。よって、図６のステップＳ２０１でポート制御部２１１−ｐから起動情報Ｍ６を受け取った制御部２０１は、ステップＳ２０５でサーチ情報Ｍ１を配信するための制御を行う。その結果、多重分離部２０３と伝送路部２０２−１〜２０２−ｎａと伝送路１０７−１〜１０７−ｎａ（換言すれば図１の伝送路１０７ａｂと１０７ａｃと１０７ａｄ）を介して、サーチ情報Ｍ１が他の伝送装置１０１ｂと１０１ｃと１０１ｄに配信される。
【０１８５】
また、伝送装置１０１ａの制御部２０１は、ステップＳ２０６でサーチ状態を知らせるための表示情報Ｍ７を表示部２０４に通知し、ステップＳ３０４で表示部２０４がサーチ状態を知らせる表示を行う。
【０１８６】
図１２は、第２実施形態においてサーチ情報を受信したときの動作を説明する図である。
図１２の伝送装置１０１ｃは、図５に示した伝送装置１０１をさらに具体化した例であり、ｍｃ個のポートを収容することが可能であり、他の伝送装置とはｎｃ本の伝送路１０８−１〜１０８ｎｃで接続されている。第１実施形態の図１と同様の伝送ネットワークシステム１００ではｎｃ＝３である。
【０１８７】
以下では、対象パスの他端であるポート１０２ｃが、具体的には、伝送装置１０１ｃのｑ番目（１≦ｑ≦ｍｃ）のポート１０２−ｑであるとする。また、伝送装置１０１ａと１０１ｃ間の伝送路１０７ａｃには、ｓ番目（１≦ｓ≦ｎｃ）の伝送路部２０２−ｓが対応しているとする。
【０１８８】
図１２は、図１１を参照して説明したようにして伝送装置１０１ａから伝送路１０７ａｃを介して配信されたサーチ情報Ｍ１を、伝送路部２０２−ｓで受信したときの伝送装置１０１ｃの動作を説明している。すなわち、伝送装置１０１ｃの制御部２０１は、図７のステップＳ２１１でサーチ情報Ｍ１を受信したことを契機として、ステップＳ２１２で表示部２０４に表示情報Ｍ７を通知し、表示部２０４は図７のステップＳ３１２でサーチ状態を知らせる表示を行う。
【０１８９】
伝送装置１０１ｃのオペレータは、伝送装置１０１ａと１０１ｃの間で新規にパスを構築する予定であることを当然知っている。よって、パス構築のための作業予定時刻前後に、伝送装置１０１ｃの表示部２０４がサーチ状態を表示すると、伝送装置１０１ｃのオペレータは、伝送装置１０１ｃのポート１０２−ｑと対向する予定の伝送装置１０１ａ上のポートが起動したことを認識する。なお、伝送装置１０１ｃのオペレータは、具体的に伝送装置１０１ａ上のどの物理的位置にあるポートが起動したのかという詳細は知らなくてもよい。
【０１９０】
そして、表示部２０４を見て伝送装置１０１ｃのオペレータは、対象パスの他端であるポート１０２−ｑ（すなわち低速側の伝送路１０８ｃを介して端末１０６ｃと接続されているポート）を起動させるための操作を行う。
【０１９１】
図１３は、第２実施形態においてサーチ情報を受信済みの対向予定の伝送装置でポートが起動されたときの動作を説明する図である。
上記のようにして伝送装置１０１ｃにおいてポート１０２−ｑが起動すると、ポート１０２−ｑは図６のステップＳ１０１で起動情報Ｍ６を制御部２０１に出力する。
【０１９２】
ここで、伝送装置１０１ｃはサーチ情報Ｍ１を配信しておらず、伝送ネットワークシステム１００内のどの伝送装置１０１ａ〜１０１ｄもサーチ済情報Ｍ２を配信していない。また、伝送装置１０１ｃは、図１２に関して説明したとおり、図１１に関して説明したようにして伝送装置１０１ａが配信しているサーチ情報Ｍ１を受信中である。よって、図１３に示す伝送装置１０１ｃの制御部２０１は、図６のステップＳ２０７で、サーチ済情報Ｍ２を配信するための制御を行う。その結果、多重分離部２０３と伝送路部２０２−１〜２０２−ｎｃと伝送路１０７−１〜１０７ｎｃ（換言すれば図２の伝送路１０７ａｃと１０７ｂｃと１０７ｃｄ）を介して、サーチ済情報Ｍ２が他の伝送装置１０１ａと１０１ｂと１０１ｄに配信される。
【０１９３】
また、伝送装置１０１ｃの制御部２０１は、ステップＳ２０８でサーチ済状態を知らせるための表示情報Ｍ７を表示部２０４に通知し、ステップＳ３０６で表示部２０４がサーチ済状態を知らせる表示を行う。
【０１９４】
続いて、仮にここで不適切な操作が行われた場合について図１４を参照して説明する。第２実施形態では、不適切な操作が行われると異常状態が表示されるので、オペレータは自分のした操作が不適切であることをすぐに認識し、操作のやり直しなどを適宜行うことができる。
【０１９５】
図１４は、第２実施形態においてサーチ済情報を受信済みの無関係な伝送装置でもポートが起動されたときの動作を説明する図である。
例えば、対象パスとは無関係な伝送装置１０１ｂは、図１４のようにｍｂ個のポートを収容することが可能であり、他の伝送装置とｎｂ本の伝送路１０８−１〜１０８ｎｂでそれぞれ接続されているとする。第１実施形態の図１と同様の伝送ネットワークシステム１００ではｎｂ＝３である。
【０１９６】
伝送装置１０１ｂは、図１１を参照して説明したようにして伝送装置１０１ａが配信しているサーチ情報Ｍ１を既に受信している。また、伝送装置１０１ｂは、図１３を参照して説明したようにして伝送装置１０１ｃが伝送路１０７ｂｃを介して配信しているサーチ済情報Ｍ２を、既に伝送路１０７ｂｃに対応する伝送路部２０２−ｕで受信している。
【０１９７】
したがって、もし伝送装置１０１ｂのｔ番目（１≦ｔ≦ｍｂ）のポート１０２−ｔが起動すると、次のようにして異常状態が表示される。
すなわち、伝送装置１０１ｂにおいてポート１０２−ｔが起動すると、図６のステップＳ１０１でポート１０２−ｔが起動情報Ｍ６を制御部２０１に出力する。すると、制御部２０１はステップＳ２０１から始まる処理を開始する。伝送装置１０１ｂはサーチ情報Ｍ１の配信中ではなく、伝送装置１０１ｃからサーチ済情報Ｍ２を受信中である。したがって、ステップＳ２０３で制御部２０１は、異常状態を知らせるための表示情報Ｍ７を表示部２０４に通知する。よって、表示部２０４はステップＳ３０２で異常状態を表示する。
【０１９８】
したがって、伝送装置１０１ｂのオペレータが、例えば誤ってポート１０２−ｔのスイッチをオンにしてポート１０２−ｔを起動させた場合、当該オペレータは、表示部２０４を見て自分の操作の誤りにすぐに気付くことができる。その結果、例えばオペレータは、ポート１０２−ｔのスイッチをオフにするなど、異常状態からの回復のための適切な操作を行うことができる。
【０１９９】
また、場合によっては、伝送装置１０１ａでポート１０２−ｐが起動した後、伝送装置１０１ｃでポート１０２−ｑが起動するよりも前に、伝送装置１０１ｂのオペレータが誤ってポート１０２−ｔを起動させてしまうかもしれない。その場合は、図１２と図１３を参照して説明したのと同様の動作を伝送装置１０１ｂが行い、図１４を参照して説明したのと同様の動作を伝送装置１０１ｃが行うことになる。
【０２００】
すると、伝送装置１０１ｃのオペレータは、自分が予定通り正しくポート１０２−ｑを起動させる操作を行ったのに異常状態が表示されていることから、他のオペレータの誤操作が原因で問題が生じたと推測することができる。したがって、伝送装置１０１ｃのオペレータは、他のオペレータと連絡を取り合うなど、異常状態から回復するための適切な行動をとることが可能となる。
【０２０１】
さて、ここで正常な動作シーケンスの説明に戻ると、図１１〜図１３を参照して説明したように処理が進んだ後、伝送装置１０１ａは、伝送装置１０１ｃから送信されたサーチ済情報Ｍ２を伝送路部２０２−ｒにおいて受信する。
【０２０２】
図１５は、第２実施形態においてポート起動元の伝送装置でサーチ済情報を受信したときの動作を説明する図である。なお、「ポート起動元」とは、対象パスを規定する２つのポート１０２−ｐと１０２−ｑのうち先に起動されたポート１０２−ｐが実装された方の伝送装置１０１ａを指す。
【０２０３】
サーチ済情報Ｍ２の受信を契機として、ポート起動元である図１５の伝送装置１０１ａの制御部２０１は、図８の処理を開始する。伝送装置１０１ａはサーチ情報Ｍ１を配信中なので、制御部２０１は、サーチ情報Ｍ１の配信の契機となったポート１０２−ｐからステップＳ２２３において種別情報Ｍ８と個別設定情報Ｍ９を受け取る。そして、制御部２０１は、受け取った種別情報Ｍ８と個別設定情報Ｍ９を配信するための処理をステップＳ２２４で行い、ステップＳ２２５でサーチ情報Ｍ１の配信を停止する制御を行う。
【０２０４】
さらに、ステップＳ２２６で制御部２０１は、サーチ済状態を知らせるための表示情報Ｍ７を表示部２０４に通知し、表示部２０４はステップＳ３２２でサーチ済状態を知らせる表示を行う。したがって、伝送装置１０１ａのオペレータは、表示部２０４を見て、ポート１０２−ｐに対向する予定のポートが伝送装置１０１ｃにおいて起動されたのだろうと推測することができる。
【０２０５】
図１６は、第２実施形態において対向予定の伝送装置で対向可能性を検証する動作を説明する図である。なお、「対向予定の伝送装置」とは、具体的には、ポート起動元である伝送装置１０１ａから見た対向側の伝送装置１０１ｃを指す。
【０２０６】
図１５に関して説明したように、伝送装置１０１ａからはポート１０２−ｐの種別情報Ｍ８と個別設定情報Ｍ９が伝送路１０７ａｃを介して送信される。よって、図１６の伝送装置１０１ｃは、伝送路部２０２−ｓにおいてポート１０２−ｐの種別情報Ｍ８と個別設定情報Ｍ９を受信する。すると、受信を契機として、伝送装置１０１ｃの制御部２０１は、図９の処理を開始する。
【０２０７】
ここで、伝送装置１０１ｃは、図１３を参照して説明したように、サーチ済情報Ｍ２の配信中である。よって、処理は図９のステップＳ２３２からステップＳ２３３へと進み、ステップＳ２３３で制御部２０１はポート１０２−ｑの種別情報Ｍ８を受け取る。
【０２０８】
そして、ステップＳ２３４で伝送装置１０１ｃの制御部２０１は、伝送装置１０１ａから受信した伝送装置１０１ａ内のポート１０２−ｐの種別情報Ｍ８と、伝送装置１０１ｃ内のポート１０２−ｑの種別情報Ｍ８とを比較する。ここでは、ポート１０２−ｐと１０２−ｑの種別が互換性のある種別同士であり、ポート１０２−ｐと１０２−ｑは対向可能であるとする。
【０２０９】
すると、ステップＳ２３６で伝送装置１０１ｃの制御部２０１は、伝送装置１０１ａから受信したポート１０２−ｐの個別設定情報Ｍ９を、伝送装置１０１ｃ内のポート１０２−ｑに通知する。すると、ステップＳ１３３でポート１０２−ｑ内のポート情報格納部２１２−ｑに、ポート１０２−ｐの個別設定情報Ｍ９がコピーされて格納されるので、ポート１０２−ｐと１０２−ｑは、例えばプロトコルや通信速度が同じように設定される。
【０２１０】
したがって、第２実施形態によれは、伝送装置１０１ｃのオペレータは、ポート１０２−ｑの個別設定情報Ｍ９を手動で設定する必要がない。よって、第２実施形態によれば、個別設定情報Ｍ９の設定に関する特殊なノウハウを持たない者でも、伝送装置１０１ｃのオペレータを務めることができる。
【０２１１】
図１７は、第２実施形態において対向予定の伝送装置で対向可能と判明したときの動作の続きを説明する図である。
図１６を参照して説明したようにして対向関係が成立可能と判明した場合、図１７に示すように、伝送装置１０１ｃの制御部２０１は、続いて図９のステップＳ２３７を実行する。すなわち、制御部２０１は、サーチ済情報Ｍ２の配信を停止するための制御を行うとともに、サーチ済状態の表示を停止するための表示情報Ｍ７を表示部２０４に通知する。
【０２１２】
すると、表示部２０４はステップＳ３３４でサーチ済状態を知らせていた今までの表示を停止する。したがって、伝送装置１０１ｃのオペレータは、ポート１０２−ｑに適切に個別設定情報Ｍ９が設定されたこと、すなわち対象パスの構築に成功したことを、認識することができる。
【０２１３】
また、制御部２０１は、ステップＳ２３８で、伝送路１０９ｃを介してポート１０２−ｑの定義情報Ｍ３をパス割付制御部１１０に送信する。
ところで、図１６に関して説明した図９のステップＳ２３５において、図１６および図１７の場合とは逆に、ポート１０２−ｐと１０２−ｑが対向不可であると判明する場合もありうる。例えば、間違った種別のパッケージボードを伝送装置１０１ａまたは１０１ｃのオペレータがコネクタに差し込んでしまった場合などでは、ステップＳ２３５で対向不可と判断される。
【０２１４】
図１８は、第２実施形態において対向予定の伝送装置で対向不可と判明したときの動作を説明する図である。
図１８に示すように、対向予定の伝送装置１０１ｃの制御部２０１は、仮に図９のステップＳ２３５で種別情報Ｍ８同士の比較から、ポート１０２−ｐと１０２−ｑが対向不可であると判断すると、異常状態を知らせるための表示情報Ｍ７を表示部２０４に通知する。したがって、表示部２０４はステップＳ３３２で異常状態を知らせる表示を行うので、伝送装置１０１ｃのオペレータは、何らかの誤りがあったことを認識することができる。
【０２１５】
表示部２０４の表示を見た伝送装置１０１ｃのオペレータは、例えば、ポート１０２−ｑの種別が予定通りの正しい種別か否かを確認する。もし、ポート１０２−ｑの種別が正しければ、伝送装置１０１ａのオペレータが誤った種別のポートを伝送装置１０１ａに取り付けた可能性が考えられる。よって、伝送装置１０１ｃのオペレータは、起動したポートの種別を確認するよう伝送装置１０１ａのオペレータに連絡すればよい。
【０２１６】
逆に、確認の結果、伝送装置１０１ｃのオペレータは、ポート１０２−ｑの種別が誤っていることに気付くかもしれない。その場合、伝送装置１０１ｃのオペレータは、伝送装置１０１ａのオペレータに連絡して、初めから作業をやり直すよう、協力を仰げばよい。
【０２１７】
いずれにしろ、第２実施形態によれば、ポート１０２−ｐと１０２−ｑが対向不可であれば、オペレータたちは速やかに異常に気付くことができる。
さて、ここで再び正常な動作シーケンスの説明に戻る。すなわち、図１６と図１７に関して説明したように、伝送装置１０１ｃにおいてポート１０２−ｐと１０２−ｑが対向可能であると判明し、サーチ済情報Ｍ２の配信が停止されたとする。すると、サーチ済情報Ｍ２の配信停止の検出を契機として、ポート起動元である伝送装置１０１ａの制御部２０１は図１０の処理を開始する。
【０２１８】
図１９は、第２実施形態においてポート起動元の伝送装置でサーチ済情報の受信が停止したときの動作を説明する図である。
図１９に示す伝送装置１０１ａの制御部２０１は、今まで受信し続けていたサーチ済情報Ｍ２の受信が途絶えたことを契機として、図１０の処理を開始する。ここで、伝送装置１０１ａは、図１５に関して説明したように種別情報Ｍ８の配信中である。よって、制御部２０１は、ステップＳ２４３で、ポート１０２−ｐの定義情報Ｍ３をパス割付制御部１１０に送信する。
【０２１９】
すると、パス割付制御部１１０は、図１７に示すように伝送装置１０１ｃから送信されたポート１０２−ｑの定義情報Ｍ３と、図１９に示すように伝送装置１０１ａから送信されたポート１０２−ｐの定義情報Ｍ３とから、対象パスに関する対向関係を把握する。すなわち、パス割付制御部１１０は、互いに対向する、伝送装置１０１ａのポート１０２−ｐと伝送装置１０１ｃのポート１０２−ｑとが、新たなパスを定義していることを認識する。
【０２２０】
そして、パス割付制御部１１０は、認識した結果に基づいて新規のパス情報Ｍ４を生成し、生成したパス情報Ｍ４をパス割付ＤＢ１０５に自動的に追加する。また、パス割付制御部１１０は、生成した新規のパス情報Ｍ４を伝送ネットワークシステム１００内の各伝送装置１０１ａ〜１０１ｄに転送する。転送の結果を図２０と図２１に示す。
【０２２１】
すなわち、図２０は、第２実施形態における通信パスの構築完了時のポート起動元の伝送装置の動作を説明する図であり、図２１は、第２実施形態における通信パスの構築完了時の対向側の伝送装置の動作を説明する図である。
【０２２２】
図２０に示すように、ポート起動元の伝送装置１０１ａは、パス割付制御部１１０から転送された新規パス情報Ｍ４を受信して、パス情報格納部２０５に格納する。すると、伝送装置１０１ａの多重分離部２０３は、パス情報格納部２０５内の新規パス情報Ｍ４に基づいて、今後は次のように振る舞うようになる。
【０２２３】
すなわち、多重分離部２０３は、ポート１０２−ｐからの信号を、伝送装置１０１ｃとの間の伝送路１０７ａｃに対応する伝送路部２０２−ｒへの出力に多重する。また、多重分離部２０３は、伝送路部２０２−ｒが受信した信号のうち、ポート１０２−ｑからの信号を分離してポート１０２−ｐに出力する。
【０２２４】
また、対象パスの構築が完了すると、ポート表示部２１３−ｐは、「対向ポート（すなわち伝送装置１０１ｃのポート１０２−ｑ）との間に正常にパスが構築されており、対向ポートとの間で通信可能な状態である」ということを表示する。
【０２２５】
同様に、図２１に示すように、対向予定の伝送装置１０１ｃにおいても、パス割付制御部１１０から転送された新規パス情報Ｍ４が受信され、パス情報格納部２０５に格納される。すると、伝送装置１０１ｃの多重分離部２０３は、パス情報格納部２０５内の新規パス情報Ｍ４に基づいて、今後は次のように振る舞うようになる。
【０２２６】
すなわち、多重分離部２０３は、ポート１０２−ｑからの信号を、伝送装置１０１ａとの間の伝送路１０７ａｃに対応する伝送路部２０２−ｓへの出力に多重する。また、多重分離部２０３は、伝送路部２０２−ｓが受信した信号のうち、ポート１０２−ｐからの信号を分離してポート１０２−ｑに出力する。
【０２２７】
また、対象パスの構築が完了すると、ポート表示部２１３−ｑは、「対向ポート（すなわち伝送装置１０１ａのポート１０２−ｐ）との間に正常にパスが構築されており、対向ポートとの間で通信可能な状態である」ということを表示する。
【０２２８】
以上、図２０と図２１に示したように、新規パス情報Ｍ４が対象パスの両端の伝送装置１０１ａと１０１ｃそれぞれのパス情報格納部２０５に格納されることで、対象パスの構築が完了し、新たな専用線がポート１０２−ｐと１０２−ｑの間に提供される。なお、図１１〜図２１を参照して説明した正常時の動作シーケンスは、第１実施形態に関して図４のタイミングチャートに示した動作シーケンスと同様である。
【０２２９】
以上説明したとおり、第２実施形態によれば、伝送装置１０１ａと１０１ｃそれぞれのオペレータが、それぞれポート１０２ａと１０２ｃを起動するという単純な作業を行うだけで、自動的にパス情報Ｍ４の配信までが実行される。したがって、定義情報Ｍ３やパス情報Ｍ４をオペレータがパス割付制御部１１０に手動で設定する必要がない。
【０２３０】
また、第２実施形態によれば、たとえ伝送装置１０１ａ〜１０１ｄいずれかのオペレータが何か間違った操作をしたとしても、各伝送装置の表示部２０４から、オペレータはすぐに異常に気付くことができる。したがって、第２実施形態は、ヒューマンエラーの回避に役立つとともに、ヒューマンエラーの発生時にも異常からの迅速な回復を可能とする。
【０２３１】
なお、本発明は上記の実施形態に限られるものではなく、様々に変形可能である。以下にその例をいくつか述べる。
上記実施形態では、サーチ済情報Ｍ２が返信情報と返信報知情報を兼ねているが、返信情報と返信報知情報は別々の情報でもよい。
【０２３２】
また、第２実施形態において、制御部２０１は、図６のステップＳ２０５でサーチ情報Ｍ１の送信を開始する制御をした後、図８のステップＳ２２５までサーチ情報Ｍ１の送信を続ける制御を行っている。しかし、実施形態によっては、制御部２０１は、ステップＳ２０５でサーチ情報Ｍ１を例えば１回だけ送信する制御を行い、ステップＳ２２５ではサーチ情報Ｍ１を取り消す別の情報を送信するための制御を行ってもよい。
【０２３３】
同様に、制御部２０１は、図６のステップＳ２０７でサーチ済情報Ｍ２を例えば１回だけ送信する制御を行ってもよい。そして、制御部２０１は、図９のステップＳ２３７で、サーチ済情報Ｍ２を取り消す別の情報（すなわち第１実施形態に関して説明した終了情報）を送信するための制御を行ってもよい。
【０２３４】
また、実施形態によっては、伝送ネットワークシステム１００は、光伝送ネットワークではなく、例えば金属ケーブルによる電気的通信ネットワークや、無線通信ネットワークでもよい。伝送媒体が何であれ、任意の２地点の伝送装置にそれぞれ収容される端末ポート間をポイント・ツー・ポイントで接続して専用線を提供することのできる伝送ネットワークシステムに関しては、上記と同様の実施形態が可能である。
【０２３５】
より具体的には、端末回線ポートの伝送装置内での物理的な実装位置（例えばパッケージボードをどのコネクタに差し込むか）によって、対向ポートや伝送帯域内での論理的な格納位置が固定されない場合に、上記と同様の実施形態が可能でもあり、効果的でもある。
【０２３６】
換言すれば、端末回線ポートの物理的な実装位置から自動的かつ一意に対向ポートを決めることができない場合には、伝送媒体が何であれ、任意の２つのポート間でパスが定義されうる。したがって、その場合、何らかの方法でパスの両端の２つのポートを特定してパスを定義するための処理が必要である。そして、伝送媒体が何であれ、当該処理におけるヒューマンエラーの抑止には、上記実施形態が有効である。
【０２３７】
なお、第２実施形態では、パスの構築のための制御情報の一種であるサーチ情報Ｍ１、サーチ済情報Ｍ２、種別情報Ｍ８および個別設定情報Ｍ９が、端末間の専用線を複数収容する高速側伝送路である伝送路１０７ａｃなどに多重されて送信される。しかし、実施形態によっては、高速側伝送路とは別の制御情報用伝送路が伝送装置間に設けられてもよい。そして、制御情報用伝送路を介して、サーチ情報Ｍ１、サーチ済情報Ｍ２、種別情報Ｍ８および個別設定情報Ｍ９が送信されてもよい。
【０２３８】
また、第２実施形態では、個別設定情報Ｍ９がポート起動元の伝送装置１０１ａから対向予定の伝送装置１０１ｃに送信され、伝送装置１０１ｃ内のポート１０２−ｑに設定される。しかし、実施形態によっては、ポート１０２−ｑのポート情報格納部２１２−ｑに予め個別設定情報Ｍ９が格納されていてもよい。
【０２３９】
その場合、伝送装置１０１ｃの制御部２０１は、図９のステップＳ２３６を実行する代わりに、ポート情報格納部２１２−ｑ内の個別設定情報Ｍ９を読み出して、伝送装置１０１ａから送信された個別設定情報Ｍ９と比較する。そして、両者が一致すれば、制御部２０１と表示部２０４は図９のステップＳ２３７以降と同様の処理を行う。逆に、個別設定情報Ｍ９同士が一致しなければ、伝送装置１０１ｃの制御部２０１は、異常状態を知らせるための表示情報Ｍ７を生成して表示部２０４に通知し、表示部２０４が異常状態の表示を行う。
【０２４０】
また、種別情報Ｍ８と個別設定情報Ｍ９は、第２実施形態ではサーチ情報Ｍ１の送信元の伝送装置から伝送ネットワークシステム１００内の他のすべての伝送装置に配信されるが、サーチ済情報Ｍ２の送信元の伝送装置のみに配信されてもよい。
【０２４１】
例えば、図８のステップＳ２２１で、多重分離部２０３は、サーチ済情報Ｍ２が多重された信号を出力した伝送路部２０２−ｉを識別する情報（以下、「伝送路部識別子」という）をさらに制御部２０１に通知してもよい。すると、制御部２０１は、伝送路部識別子から間接的に、サーチ済情報Ｍ２の送信元である他の伝送装置を識別することができる。
【０２４２】
そこで、図８のステップＳ２２４で、伝送路１０７−ｉへの出力信号に種別情報Ｍ８と個別設定情報Ｍ９を多重するよう、制御部２０１が多重分離部２０３を制御してもよい。それにより、伝送路１０７−ｉを介して接続された、サーチ済情報Ｍ２の送信元である他の伝送装置にのみ、種別情報Ｍ８と個別設定情報Ｍ９が配信される。
【０２４３】
同様に、サーチ情報Ｍ１の送信元の伝送装置を識別するために、サーチ情報Ｍ１の受信時に多重分離部２０３が伝送路部識別子を制御部２０１に通知してもよい。また、制御部２０１は、パス割付制御部１１０に送信する定義情報Ｍ３に、定義情報Ｍ３が定義しようとしている対象パスの他端を識別するために伝送路部識別子を含めることができる。
【０２４４】
また、上記実施形態では、各伝送装置が同様の構成要素を備え、同様の機能を有しているが、機能が異なる伝送装置が伝送ネットワークシステム内に混在していてもよい。例えば、ある実施形態では、伝送ネットワークシステム内に、第２実施形態の伝送装置１０１と同様のマスタ型伝送装置と、第２実施形態の伝送装置１０１からサーチ情報Ｍ１を発信する機能を取り除いたスレーブ型伝送装置が混在していてもよい。
【０２４５】
すなわち、必ずマスタ型伝送装置をポート起動元とするように定められた作業手順にしたがって作業が行われる環境では、スレーブ型伝送装置が伝送ネットワークシステム内に混在していてもよい。この場合、スレーブ型伝送装置でポートが起動されると、サーチ情報Ｍ１の配信中ということはありえないので、図６の処理において、ステップＳ２０１から直接ステップＳ２０３に処理が進む。また、上記の環境では、スレーブ型伝送装置はポート起動元とならないことが前提である。したがって、スレーブ型伝送装置においてポート起動時にサーチ済情報Ｍ２もサーチ情報Ｍ１も受信中でなければ、前提に違反していることになるので、このときは、図６のステップＳ２０５の代わりに異常状態の表示のための処理が行われる。
【０２４６】
最後に、さらに下記の付記を開示する。
（付記１）
各々に１つ以上のポートが実装されており互いに接続された複数の伝送装置のうちの１つの伝送装置であって、
前記１つの伝送装置が、前記複数の伝送装置のうちの他のいずれかから、対向ポートを探索するための情報であるサーチ情報、前記サーチ情報に対する返信である返信情報または前記返信情報の発信を報知する返信報知情報を受信したとき、受信を知らせるための出力を行う出力手段と、
前記１つの伝送装置が、前記複数の伝送装置のうちの他のいずれかから前記サーチ情報を受信した後、前記１つ以上のポートのうち１つが起動されると、前記サーチ情報の送信元である前記伝送装置に前記返信情報を送信するとともに、前記複数の伝送装置のうち前記送信元の前記伝送装置以外の伝送装置に前記返信報知情報を送信する送信手段と、
を備えることを特徴とする伝送装置。
（付記２）
前記送信手段は、前記返信情報または前記返信報知情報の前記受信を知らせるための前記出力を前記出力手段が行っていないときに、前記１つ以上のポートのいずれかが起動されると、前記複数の伝送装置のうち自身以外の他の伝送装置に、前記サーチ情報を送信することを特徴とする付記１に記載の伝送装置。
（付記３）
前記送信手段は、
前記送信手段からの前記サーチ情報の送信後に、前記１つの伝送装置が前記複数の伝送装置のうちの他のいずれかから前記返信情報を受信し、さらに前記返信情報の前記受信を否定する状態に遷移したとき、
前記前記複数の伝送装置間でポートの対により定義されるパスを表すパス情報を格納する記憶装置に、起動によって前記サーチ情報の送信の契機となったポートを特定して定義する定義情報を送信する、
ことを特徴とする付記２に記載の伝送装置。
（付記４）
前記出力手段は、前記返信情報または前記返信報知情報の前記受信を知らせるための前記出力を行っているときに、前記１つ以上のポートのいずれかが起動されると、異常を知らせるための出力を行うことを特徴とする付記１から３のいずれか１項に記載の伝送装置。
（付記５）
前記送信手段は、前記返信情報および前記返信報知情報の送信の後、前記１つの伝送装置において所定の処理が終了したら、前記複数の伝送装置のうち自身以外の他の伝送装置に前記所定の処理の終了を通知し、
前記出力手段は、前記複数の伝送装置のうちの他のいずれかから前記所定の処理の終了が通知されると、前記返信情報または前記返信報知情報の前記受信を知らせるための前記出力を停止する、
ことを特徴とする付記１から４のいずれか１項に記載の伝送装置。
（付記６）
前記送信手段は、前記所定の処理の終了を明示的に表す終了情報を前記複数の伝送装置のうち自身以外の他の伝送装置に送信することにより、前記所定の処理の終了を通知する
ことを特徴とする付記５に記載の伝送装置。
（付記７）
前記送信手段は、前記所定の処理が終了するまで前記返信情報または前記返信報知情報の送信を続け、前記所定の処理が終了すると前記返信情報または前記返信報知情報の送信を停止することにより、前記所定の処理の終了を通知する
ことを特徴とする付記５に記載の伝送装置。
（付記８）
前記所定の処理は、前記サーチ情報により前記対向ポートが探索されている第１のポートの前記対向ポートとして、前記返信情報および前記返信報知情報の送信の契機となった第２のポートを設定する対向ポート設定処理を含む
ことを特徴とする付記５から７のいずれか１項に記載の伝送装置。
（付記９）
前記対向ポート設定処理は、前記第１のポートの種別を示しており前記サーチ情報の前記送信元の前記伝送装置から送信される第１の種別情報と、前記第２のポートの種別を示しており前記第２のポートに付随して記憶されている第２の種別情報とに基づいて、前記第１のポートと前記第２のポートとが対向可能であるか否かを判断する判断処理を含む
ことを特徴とする付記８に記載の伝送装置。
（付記１０）
前記１つの伝送装置において前記所定の処理が終了したら、前記送信手段はさらに、前記複数の伝送装置間でポートの対により定義されるパスを表すパス情報を格納する記憶装置に、前記第２のポートを特定して定義する定義情報を送信することを特徴とする付記９に記載の伝送装置。
（付記１１）
前記返信報知情報は前記返信情報と同じ情報であって、
前記送信手段は、前記複数の伝送装置のうち自身以外の他の伝送装置に前記返信情報をブロードキャストすることにより、前記返信情報と前記返信報知情報の送信を行う、
ことを特徴とする付記１から１０のいずれか１項に記載の伝送装置。
（付記１２）
各々が、出力手段と通信手段を備え、１つ以上のポートが実装されており、互いに接続された複数の伝送装置のうちの、１つの伝送装置を制御するコンピュータに、
前記複数の伝送装置のうちの他のいずれかから、対向ポートを探索するための情報であるサーチ情報が、前記通信手段により受信されたか否かを検知する第１の検知ステップと、
前記サーチ情報の受信を検知したとき、前記サーチ情報を受信したことを出力するよう前記出力手段を制御する第１の出力制御ステップと、
前記複数の伝送装置のうちの他のいずれかから、前記サーチ情報に対する返信である返信情報が、前記通信手段により受信されたか否かを検知する第２の検知ステップと、
前記返信情報の受信を検知したとき、前記返信情報を受信したことを出力するよう前記出力手段を制御する第２の出力制御ステップと
前記複数の伝送装置のうちの他のいずれかから、前記返信情報の発信を報知する返信報知情報が、前記通信手段により受信されたか否かを検知する第３の検知ステップと、
前記返信報知情報の受信を検知したとき、前記返信報知情報を受信したことを出力するよう前記出力手段を制御する第３の出力制御ステップと、
前記第１の検知ステップにより前記サーチ情報の受信を検知した後、前記１つ以上のポートのうち１つが起動されると、前記サーチ情報の送信元である前記伝送装置に前記返信情報を送信するとともに、前記複数の伝送装置のうち前記送信元の前記伝送装置以外の伝送装置に前記返信報知情報を送信するよう前記通信手段を制御する第１の送信制御ステップと、
を実行させることを特徴とする制御プログラム。
（付記１３）
前記返信情報と前記返信報知情報のいずれも受信が検知されていないときに、前記１つの伝送装置に実装された前記１つ以上のポートのいずれかが起動されると、前記複数の伝送装置のうち自身以外の他の伝送装置に前記サーチ情報を送信するよう、前記通信手段を制御する第２の送信制御ステップを
さらに前記コンピュータに実行させることを特徴とする付記１２に記載の制御プログラム。
（付記１４）
前記第１の送信制御ステップの後、前記コンピュータが所定の処理を終了したら、前記複数の伝送装置のうち自身以外の他の伝送装置に前記所定の処理の終了を通知するよう、前記通信手段を制御する終了通知ステップと、
前記複数の伝送装置のうちの他のいずれかから前記所定の処理の終了が通知されると、前記返信報知情報を受信したことの出力を停止するよう前記出力手段を制御する第４の出力制御ステップと、
をさらに前記コンピュータに実行させることを特徴とする付記１２または１３に記載の制御プログラム。
（付記１５）
前記所定の処理は、前記サーチ情報により前記対向ポートが探索されている第１のポートの前記対向ポートとして、前記第１の送信制御ステップの契機となった第２のポートを設定する対向ポート設定処理を含む
ことを特徴とする付記１４に記載の制御プログラム。
【符号の説明】
【０２４７】
１００  伝送ネットワークシステム
１０１ａ〜１０１ｄ、１０１  伝送装置
１０２ａ〜１０２ｄ、１０２−１〜１０２−ｍ  ポート
１０３ａ〜１０３ｄ、１０４ａ〜１０４ｄ  ランプ
１０５  パス割付ＤＢ
１０６ａ〜１０６ｄ  端末
１０７−１〜１０７−ｎ、１０７ａｂ、１０７ａｃ、１０７ａｄ、１０７ｂｃ、１０７ｃｄ、１０７−ｎａ、１０７−ｎｂ、１０７−ｎｃ、１０８ａ〜１０８ｄ、１０８−１、１０９ａ〜１０９ｄ、１０９  伝送路
１１０  パス割付制御部
２０１  制御部
２０２−１〜２０２−ｎ、２０２−ｎａ、２０２−ｎｂ、２０２−ｎｃ  伝送路部
２０３  多重分離部
２０４  表示部
２０５  パス情報格納部
２１１−１、２１１−ｐ、２１１−ｑ、２１１−ｔ  ポート制御部
２１２−１、２１２−ｐ、２１２−ｑ、２１２−ｔ  ポート情報格納部
２１３−１、２１３−ｐ、２１３−ｑ、２１３−ｔ  ポート表示部
２１４−１、２１４−ｐ、２１４−ｑ、２１４−ｔ  通信処理部
Ｋｃ  検証・設定期間
Ｌａ１、Ｌｂ１、Ｌｃ１、Ｌｄ１、Ｌａ２、Ｌｂ２、Ｌｃ２、Ｌｄ２  ランプ点灯期間
Ｍ１  サーチ情報
Ｍ２  サーチ済情報
Ｍ３  定義情報
Ｍ４  パス情報
Ｍ５  通知
Ｍ６  起動情報
Ｍ７  表示情報
Ｍ８  種別情報
Ｍ９  個別設定情報
【図１】
2010232816.tif 000003
【図２】
2010232816.tif 000004
【図３】
2010232816.tif 000005
【図４】
2010232816.tif 000006
【図５】
2010232816.tif 000007
【図６】
2010232816.tif 000008
【図７】
2010232816.tif 000009
【図８】
2010232816.tif 000010
【図９】
2010232816.tif 000011
【図１０】
2010232816.tif 000012
【図１１】
2010232816.tif 000013
【図１２】
2010232816.tif 000014
【図１３】
2010232816.tif 000015
【図１４】
2010232816.tif 000016
【図１５】
2010232816.tif 000017
【図１６】
2010232816.tif 000018
【図１７】
2010232816.tif 000019
【図１８】
2010232816.tif 000020
【図１９】
2010232816.tif 000021
【図２０】
2010232816.tif 000022
【図２１】
2010232816.tif 000023